(57)【要約】無線通信装置と機器との無線接続の設定を簡単に行なうことができる無線接続設定方法、無線通信装置および表示方法を提供する。無線通信装置が実行する無線接続設定方法であって、第２の設定情報を含む第１の無線信号を受信する第１の受信ステップと、第２の機器から第１の機器の認証に用いる認証情報であって、第１の機器に固有に対応付けられている認証情報を受信する第２の受信ステップと、認証情報を保持する第１の保持ステップと、第２の設定情報を用いて第１の機器への無線接続を確立する確立ステップと、確立した無線接続において、認証情報を含む第２の無線信号を第１の機器へ送信する第１の送信ステップと、認証情報に対する応答情報を含む第３の無線信号を受信する第３の受信ステップと、応答情報が認証成功を示す場合、第１の設定情報を第１の機器へ送信する第２の送信ステップと、を含む。
2015001772.tif 000002
【特許請求の範囲】
【請求項１】
機器と無線通信装置との間の無線接続を確立するために、前記無線通信装置が実行する無線接続設定方法であって、
前記無線通信装置への無線接続を確立するための第１の設定情報を保持していない第１の機器から送信された第１の無線信号であって、前記第１の機器への無線接続を確立するための第２の設定情報を含む第１の無線信号を受信する第１の受信ステップと、
前記第１の設定情報を保持している第２の機器から、前記第１の機器の認証に用いる認証情報であって、前記第１の機器に固有に対応付けられている認証情報を受信する第２の受信ステップと、
前記第２の受信ステップにおいて受信した前記第１の機器の前記認証情報を保持する第１の保持ステップと、
前記第１の受信ステップにおいて受信された前記第１の無線信号に含まれる前記第２の設定情報を用いて、前記第１の機器への無線接続を確立する確立ステップと、
前記確立ステップにおいて確立した無線接続において、前記認証情報を含む第２の無線信号を前記第１の機器へ送信する第１の送信ステップと、
前記第１の送信ステップにおいて送信した前記第２の無線信号に含まれる前記認証情報に対する応答情報を含む第３の無線信号を前記第１の機器から前記無線接続において受信する第３の受信ステップと、
前記応答情報が認証成功を示す場合、前記第１の設定情報を前記第１の機器へ前記無線接続において送信する第２の送信ステップと、を含む
無線接続設定方法。
【請求項２】
前記無線通信装置は、前記第１の設定情報と、前記第１の設定情報で無線接続が確立されることにより行われる第１の無線通信の方式とは異なる第２の無線通信の方式による、前記無線通信装置への無線接続を確立するための第３の設定情報と、を保持しており、
前記無線接続設定方法は、さらに、
前記第１の無線通信および前記第２の無線通信の方式から、前記第１の機器から受信した前記第１の無線信号に用いられた無線通信の方式を特定する特定ステップを含み、
前記確立ステップでは、前記特定ステップにおいて特定した無線通信の方式を用いて前記第１の機器への無線接続を確立し、
前記第１の送信ステップでは、特定した前記無線通信の方式を用いて前記第２の無線信号を前記第１の機器へ送信し、
前記第２の送信ステップでは、前記応答情報が認証成功を示す場合、前記第１の設定情報および前記第３の設定情報のうちで、特定した前記無線通信の方式に対応する設定情報を前記第１の機器へ送信する
請求項１に記載の無線接続設定方法。
【請求項３】
前記応答情報が認証成功を示す場合、前記無線通信装置が保持する複数の前記第１の設定情報のうち特定した前記無線通信の方式に対応する第１の設定情報であって、当該無線通信装置の上位の無線通信装置が保持する第１の設定情報と同じ内容の第１の設定情報を前記第１の機器へ送信する
請求項２に記載の無線接続設定方法。
【請求項４】
前記第２の機器は、ユーザから前記認証情報を含む入力を受け付ける入力部と、表示部とを有し、
前記第２の受信ステップでは、前記入力部より受付けられた前記入力に含まれる前記認証情報を受信する
請求項１または３に記載の無線接続設定方法。
【請求項５】
さらに、
前記第２の機器の前記表示部へユーザインターフェース（ＵＩ）画面を表示させるための表示情報を前記第２の機器へ送信する第３の送信ステップを含み、
前記認証情報は、前記第２の機器の前記表示部に表示させた前記ＵＩ画面を介して入力された情報である
請求項４に記載の無線接続設定方法。
【請求項６】
前記第１の受信ステップにおいて受信した前記第１の無線信号は、さらに、前記第１の機器を特定する機器特定情報を含み、
前記無線接続設定方法は、さらに、
前記機器特定情報に関連する関連情報をサーバーから取得する取得ステップと、
前記機器特定情報と、前記取得ステップにおいて取得した前記関連情報とを前記無線通信装置に保持する第２の保持ステップと、を含み、
前記第３の送信ステップでは、前記機器特定情報と、前記関連情報とを含む情報を前記表示情報として前記第２の機器へ送信する
請求項５に記載の無線接続設定方法。
【請求項７】
前記第２の受信ステップでは、さらに、前記第１の機器との認証を行う予定時刻に関する時間情報を受信し、
前記確立ステップでは、前記時間情報に基づき、当該時間情報に対応する第１の機器が提供する前記第２の設定情報を用いた、前記第１の機器への無線接続を確立する
請求項１から６のいずれか１項に記載の無線接続設定方法。
【請求項８】
さらに、
前記無線通信装置が提供する前記第１の設定情報を用いて前記無線接続を行っているか否かを検出する検出ステップを含み、
前記検出ステップにおいて前記第１の設定情報を用いて前記無線接続を行なっていないと検出した場合、当該第１の機器が提供する前記第１の設定情報を用いて、前記第１の機器への前記無線接続が可能な状態に切り替える
請求項１から７のいずれか１項に記載の無線接続設定方法。
【請求項９】
前記第１の受信ステップでは、さらに、前記第１の設定情報を保持している宅内の第３の機器からの第４の無線信号を受信し、
前記第２の機器の前記表示部に前記ＵＩ画面を表示中に、前記第１の機器が宅内または宅外のいずれに位置するのかを判断するための指標となる情報を要求する入力が前記ＵＩ画面を介してなされると、所定の条件を満足する第３の機器に関する情報を含むＵＩ画面を前記第２の機器の前記表示部に表示させる
請求項５または６に記載の無線接続設定方法。
【請求項１０】
前記無線通信装置は、前記第３の機器の情報および前記第１の機器の情報を保持し、
前記第３の機器の情報および前記第１の機器の情報は、それぞれ機種の情報を含み、
前記所定の条件は、前記第１の機器の機種と同じであることである
請求項９に記載の無線接続設定方法。
【請求項１１】
前記無線通信装置は、前記第３の機器の情報および前記第１の機器の情報を保持し、
前記第３の機器の情報および前記第１の機器の情報はそれぞれから送信される無線信号の電波強度の情報を含み、
前記所定の条件は、前記第１の機器の前記第１の無線信号の電波強度と同程度であることである
請求項９に記載の無線接続設定方法。
【請求項１２】
さらに、
前記第１の機器が宅内に位置するのか、または宅外に位置するのかを判定する判定ステップを含み、
前記第３の送信ステップでは、前記判定ステップにおいて前記宅外に位置すると判定した第１の機器の情報を、前記判定ステップにおいて前記宅内に位置すると判定した第１の機器と異なるように表示させる情報を前記表示情報として送信する
請求項５、６、９および１０のいずれか１項に記載の無線接続設定方法。
【請求項１３】
前記判定ステップでは、前記無線通信装置に対応する認証情報が保持されている第１の機器を前記宅内に位置すると判定する
請求項１２に記載の無線接続設定方法。
【請求項１４】
前記判定ステップでは、前記第３の機器と機種が異なる第１の機器を前記宅内に位置すると判定する
請求項１２または１３に記載の無線接続設定方法。
【請求項１５】
前記判定ステップは、前記第３の機器の電源を投入している時間が類似する第１の機器を前記宅内に位置すると判定する
請求項１２から１４のいずれか１項に記載の無線接続設定方法。
【請求項１６】
前記判定ステップでは、電源を投入してから所定の時間が経過していない第１の機器を前記宅内に位置すると判定する
請求項１２から１５のいずれか１項に記載の無線接続設定方法。
【請求項１７】
無線通信装置であって、
前記無線通信装置への無線接続を確立するための第１の設定情報を保持していない第１の機器から送信された第１の無線信号であって、前記第１の機器への無線接続を確立するための第２の設定情報を含む第１の無線信号を受信する第１の受信部と、
前記第１の設定情報を保持している第２の機器から、前記第１の機器の認証に用いる情報であって、前記第１の機器に固有に対応付けられている認証情報を受信する第２の受信部と、
前記第２の受信部が受信した前記第１の機器の前記認証情報を保持する保持部と、
前記第１の受信部において受信された前記第１の無線信号に含まれる前記第２の設定情報を用いて、前記第１の機器への無線接続を確立する確立部と、
前記確立部が確立した無線接続において、前記認証情報を含む前記第２の無線信号を前記第１の機器へ送信する第１の送信部と、
前記第１の送信部が送信した前記第２の無線信号に含まれる前記認証情報に対する応答情報を含む第３の無線信号を前記第１の機器から前記無線接続において受信する第３の受信部と、
前記応答情報が認証成功を示す場合、前記第１の設定情報を前記第１の機器へ前記無線接続において送信する設定情報送信部と、を備える
無線通信装置。
【請求項１８】
認証情報の入力画面における表示方法であって、
無線通信装置への無線接続を確立するための第１の設定情報を用いて前記無線通信装置への無線接続を確立する確立ステップと、
前記第１の設定情報を保持していない第１の機器の認証に用いる情報であって、前記第１の機器に固有に対応付けられている認証情報を入力するためのＵＩ画面を表示するために用いるＵＩ情報を要求することにより、当該ＵＩ情報を前記無線通信装置から受信する受信ステップと、
前記受信ステップにおいて受信した前記ＵＩ情報に基づき前記ＵＩ画面を表示する表示ステップと、
前記ＵＩ画面を介して入力された認証情報を送信する送信ステップと、を含み、
前記表示ステップでは、前記ＵＩ画面を表示中に前記第１の機器が宅内または宅外のいずれに位置するのかを判定するための指標となる情報の要求を受信した場合、前記第１の設定情報を保持している前記第３の機器のうち所定の条件を満足するものに関する情報を含むＵＩ画面を表示する
表示方法。
【発明の詳細な説明】
【技術分野】
【０００１】
本発明は、無線機能を搭載する無線通信装置に用いる無線接続設定方法、無線通信装置および表示方法に関する。
【背景技術】
【０００２】
従来、無線通信機能を搭載する機器（無線機器）が無線ＬＡＮのアクセスポイント（以降、「ＡＰ」という。）に無線接続するには、ＡＰ（またはＡＰを内蔵したルータ）のＳＳＩＤ（Ｓｅｒｖｉｃｅ  Ｓｅｔ  ＩＤｅｎｔｉｆｉｅｒ）および暗号化キーを無線機器に設定する必要がある。この設定（以下、セットアップともいう）の手間を簡略する技術として、ＡＯＳＳ（ＡｉｒＳｔａｔｉｏｎ  Ｏｎｅ−Ｔｏｕｃｈ  Ｓｅｃｕｒｅ  Ｓｙｓｔｅｍ）やＷＰＳ（Ｗｉ−Ｆｉ  Ｐｒｏｔｅｃｔｅｄ  Ｓｅｔｕｐ）などの技術が知られている（例えば、特許文献１および特許文献２を参照）。
【先行技術文献】
【特許文献】
【０００３】
【特許文献１】特開２０１２−２１７０４４号公報
【特許文献２】特開２００８−２１１５０７号公報
【特許文献３】特開２００８−２９４９１９号公報
【発明の概要】
【発明が解決しようとする課題】
【０００４】
しかしながら、これらの技術では、無線接続を簡単に行うことができないという課題がある。【０００５】
本発明はかかる問題に鑑み、無線通信装置と機器との無線接続の設定を簡単に行なことができる無線接続設定方法、無線接続設定装置および表示方法を提供することを目的とする。
【課題を解決するための手段】
【０００６】
上記目的を達成するために、本発明の一態様に係る無線接続設定方法は、機器と無線通信装置との間の無線接続を確立するために、前記無線通信装置が実行する無線接続設定方法であって、前記無線通信装置への無線接続を確立するための第１の設定情報を保持していない第１の機器から送信された第１の無線信号であって、前記第１の機器への無線接続を確立するための第２の設定情報を含む第１の無線信号を受信する第１の受信ステップと、前記第１の設定情報を保持している第２の機器から、前記第１の機器の認証に用いる認証情報であって、前記第１の機器に固有に対応付けられている認証情報を受信する第２の受信ステップと、前記第２の受信ステップにおいて受信した前記第１の機器の前記認証情報を保持する第１の保持ステップと、前記第１の受信ステップにおいて受信された前記第１の無線信号に含まれる前記第２の設定情報を用いて、前記第１の機器への無線接続を確立する確立ステップと、前記確立ステップにおいて確立した無線接続において、前記認証情報を含む第２の無線信号を前記第１の機器へ送信する第１の送信ステップと、前記第１の送信ステップにおいて送信した前記第２の無線信号に含まれる前記認証情報に対する応答情報を含む第３の無線信号を前記第１の機器から前記無線接続において受信する第３の受信ステップと、前記応答情報が認証成功を示す場合、前記第１の設定情報を前記第１の機器へ前記無線接続において送信する第２の送信ステップと、を含む。【０００７】
なお、これらの全般的または具体的な態様は、装置、システム、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の無線接続設定方法、無線接続設定装置および表示方法は、無線通信装置と機器との無線接続の設定を簡単に行うことができる。
【図面の簡単な説明】
【０００９】
【図１】図１は、無線接続設定システムの使用行為についての形態の一例を示す図である。
【図２】図２は、実施の形態１における接続設定の一例を示す図である。
【図３】図３は、実施の形態１における無線接続設定システムの内部構成の一例を示すブロック図である。
【図４】図４は、実施の形態１における設定制御部の内部構成の一例を示すブロック図である。
【図５】図５は、実施の形態１における設定状態管理部の内部構成の一例を示すブロック図である。
【図６】図６は、実施の形態１における設定情報の一例を示す図である。
【図７】図７は、実施の形態１における無線モード管理情報の一例を示す図である。
【図８】図８は、実施の形態１におけるユーザインターフェース（以降、「ＵＩ」という。）ＵＩデータ情報の一例を示す図である。
【図９】図９は、実施の形態１における機器管理情報の一例を示す図である。
【図１０】図１０は、実施の形態１における無線モード管理情報の一例を示す図である。
【図１１】図１１は、実施の形態１における無線接続設定システムを構成する表示機器、宅内サーバー、機器の具体的な動作の一例を示すフローチャートである。
【図１２】図１２は、図１１における無線設定処理の具体的な一例を示すフローチャートである。
【図１３】図１３は、図１２における設定時間待機処理の具体的な一例を示すフローチャートである。
【図１４】図１４は、実施の形態におけるＰＩＮ登録時のＵＩの一例を示す図である。
【図１５】図１５は、実施の形態における品番／ＰＩＮ登録時のＵＩの一例を示す図である。
【図１６】図１６は、実施の形態におけるＰＩＮ登録時のＵＩの一例を示す図である。
【図１７】図１７は、実施の形態２の図１３における設定時間待機処理の拡張詳細に関するフローチャートである。
【図１８】図１８は、実施の形態２におけるＰＩＮ登録時のＵＩの一例を示す図である。
【図１９】図１９は、実施の形態２における機器管理情報の一例を示す図である。
【図２０】図２０は、実施の形態３における無線モード管理情報の一例を示す図である。
【図２１】図２１は、実施の形態３における無線モード管理情報の一例を示す図である。
【図２２】図２２は、実施の形態４におけるＵＩ管理部の内部構成の一例を示すブロック図である。
【図２３】図２３は、実施の形態４におけるＰＩＮ登録時のＵＩの一例を示す図である。
【図２４】図２４は、実施の形態４におけるＰＩＮ登録時のＵＩの他の一例を示す図である。
【図２５】図２５は、実施の形態５における無線接続設定システムの動作の一例を示すに関するフローチャートである。
【図２６】図２６は、実施の形態５におけるユーザ機器判定処理の動作の一例を示すフローチャートである。
【図２７】図２７は、実施の形態５における機器管理情報の一例を示す図である。
【図２８】図２８は、実施の形態５におけるＰＩＮ登録時のＵＩ画面の他の一例を示す図である。
【発明を実施するための形態】
【００１０】
（本発明の基礎となった知見）
本発明者は、「背景技術」の欄において記載した、無線接続のための設定方法に関し、以下の問題が生じることを見出した。
【００１１】
ＡＯＳＳでは、セットアップの際、ＡＰに搭載されているボタン（図示せず）と無線接続の設定が未設定の無線機器のボタンとが押されること等をきっかけに、独自の暗号技術を利用して無線機器とＡＰとの間で暗号鍵の交換が行われ、機器とＡＰとの間の無線接続の設定とセキュリティの設定とが行われる。このセットアップの初期段階において無線機器がＡＰと一時的に無線接続する場合、ＡＰは他のＡＰと共通で使われる同じ値のＳＳＩＤを無線機器に送信し、無線機器は受信したＳＳＩＤを用いて無線接続の設定およびセキュリティの設定を行うことにより、セットアップを行う。
【００１２】
また、無線機器は、このセットアップによってＡＰにより自動的に生成されるＳＳＩＤをＡＰから受信し、受信したＳＳＩＤを設定する。無線機器は、通常動作時には、このＳＳＩＤを使ってＡＰに無線接続し、データ通信を行う。
【００１３】
ＷＰＳでは、セットアップの際、ＡＰに搭載されているボタンと無線接続の設定が未設定の無線機器のボタンとが押されること、あるいは、未設定の無線機器のＰＩＮ（Ｐｅｒｓｏｎａｌ  Ｉｄｅｎｔｉｆｉｃａｔｉｏｎ  Ｎｕｍｂｅｒ）コードがＡＰに設定されること、等をきっかけに、機器はＡＰにより自動的に生成されたＳＳＩＤおよび暗号化キーを受信し、受信したＳＳＩＤおよび暗号化キーを設定する。無線機器は、通常動作時には、このＳＳＩＤおよび暗号化キーを使ってＡＰに無線接続し、データ通信を行う。
【００１４】
特許文献１に示す技術は、無線通信のＡＰとして通常動作する場合に用いる第１アクセスポイント識別子に装置の識別に用いられる識別子を付与した第２アクセスポイント識別子を生成し、ステーション（以降、「ＳＴＡ」という。）機能を実行する情報通信機器からＡＰの探索要求を受信したとき、該第２アクセスポイント識別子を前記探索要求の応答として送信する処理をコンピュータに実行させる。
【００１５】
また、特許文献２に示す技術は、無線通信を行う装置間で共有される接続情報を記憶し、接続情報に基づいて無線通信を行う第１の無線通信部と、接続情報を音声および／または画像の接続情報パターンに変換する第１の制御部と、接続情報パターンを出力する出力部とを含む出力装置と、音声および／または画像を入力する入力部と、入力された音声および／または画像を解析する。更に、入力された音声および／または画像が接続情報パターンである可能性があると判定すると、接続情報パターンを接続情報候補に再変換する第２の制御部と、接続情報候補に基づいて無線通信を試みる第２の無線通信部とを含む入力装置とを有する。
【００１６】
しかしながら、接続設定したい機器の電源が投入された状態での動作、あるいは、接続設定したい機器の無線リソースが利用可能であることを前提としているため、未設定の機器の電源が投入されていない場合やユーザが無線機能を使用するサービス（例：録画コンテンツの別の部屋での視聴）を利用中には接続設定できない可能性があるという課題を有している。
【００１７】
また、未設定機器に表示機能や入力機能が十分に備わっていないような機器（例えば白物家電機器）である場合、接続設定時には未設定機器の入力手段を操作することが前提となっているため、機器を購入するごとに未設定機器の入力操作が必要になりユーザに負担をかける可能性があるという課題を有している。
【００１８】
このような問題を解決するために、本発明の一態様に係る無線接続設定方法は、機器と無線通信装置との間の無線接続を確立するために、前記無線通信装置が実行する無線接続設定方法であって、前記無線通信装置への無線接続を確立するための第１の設定情報を保持していない第１の機器から送信された第１の無線信号であって、前記第１の機器への無線接続を確立するための第２の設定情報を含む第１の無線信号を受信する第１の受信ステップと、前記第１の設定情報を保持している第２の機器から、前記第１の機器の認証に用いる認証情報であって、前記第１の機器に固有に対応付けられている認証情報を受信する第２の受信ステップと、前記第２の受信ステップにおいて受信した前記第１の機器の前記認証情報を保持する第１の保持ステップと、前記第１の受信ステップにおいて受信された前記第１の無線信号に含まれる前記第２の設定情報を用いて、前記第１の機器への無線接続を確立する確立ステップと、前記確立ステップにおいて確立した無線接続において、前記認証情報を含む第２の無線信号を前記第１の機器へ送信する第１の送信ステップと、前記第１の送信ステップにおいて送信した前記第２の無線信号に含まれる前記認証情報に対する応答情報を含む第３の無線信号を前記第１の機器から前記無線接続において受信する第３の受信ステップと、前記応答情報が認証成功を示す場合、前記第１の設定情報を前記第１の機器へ前記無線接続において送信する第２の送信ステップと、を含む。
【００１９】
これによれば、第１の機器とは異なる第２の機器から第１の機器の認証に用いる認証情報を無線通信装置に保持することができるようになる。これにより、例えば第１の機器が入力手段を豊富に備えていないような機器（例えば白物家電機器）である場合、第１の機器から認証情報を直接入力することなく、無線通信装置と第１の機器の認証接続を行うことが可能となる。このため、無線通信装置と第１の機器との無線接続の設定を簡単に行うことができる。
【００２０】
例えば、前記無線通信装置は、前記第１の設定情報と、前記第１の設定情報で無線接続が確立されることにより行われる第１の無線通信の方式とは異なる第２の無線通信の方式による、前記無線通信装置への無線接続を確立するための第３の設定情報と、を保持しており、前記無線接続設定方法は、さらに、前記第１の無線通信および前記第２の無線通信の方式から、前記第１の機器から受信した前記第１の無線信号に用いられた無線通信の方式を特定する特定ステップを含み、前記確立ステップでは、前記特定ステップにおいて特定した無線通信の方式を用いて前記第１の機器への無線接続を確立し、前記第１の送信ステップでは、特定した前記無線通信の方式を用いて前記第２の無線信号を前記第１の機器へ送信し、前記第２の送信ステップでは、前記応答情報が認証成功を示す場合、前記第１の設定情報および前記第３の設定情報のうちで、特定した前記無線通信の方式に対応する設定情報を前記第１の機器へ送信してもよい。
【００２１】
例えば、前記応答情報が認証成功を示す場合、前記無線通信装置が保持する複数の前記第１の設定情報のうち特定した前記無線通信の方式に対応する第１の設定情報であって、当該無線通信装置の上位の無線通信装置が保持する第１の設定情報と同じ内容の第１の設定情報を前記第１の機器へ送信してもよい。
【００２２】
例えば、前記第２の機器は、ユーザから前記認証情報を含む入力を受け付ける入力部と、表示部とを有し、前記第２の受信ステップでは、前記入力部より受付けられた前記入力に含まれる前記認証情報を受信してもよい。
【００２３】
例えば、さらに、前記第２の機器の前記表示部へユーザインターフェース（ＵＩ）画面を表示させるための表示情報を前記第２の機器へ送信する第３の送信ステップを含み、前記認証情報は、前記第２の機器の前記表示部に表示させた前記ＵＩ画面を介して入力された情報であってもよい。
【００２４】
例えば、前記第１の受信ステップにおいて受信した前記第１の無線信号は、さらに、前記第１の機器を特定する機器特定情報を含み、前記無線接続設定方法は、さらに、前記機器特定情報に関連する関連情報をサーバーから取得する取得ステップと、前記機器特定情報と、前記取得ステップにおいて取得した前記関連情報とを前記無線通信装置に保持する第２の保持ステップと、を含み、前記第３の送信ステップでは、前記機器特定情報と、前記関連情報とを含む情報を前記表示情報として前記第２の機器へ送信してもよい。
【００２５】
例えば、前記第２の受信ステップでは、さらに、前記第１の機器との認証を行う予定時刻に関する時間情報を受信し、前記確立ステップでは、前記時間情報に基づき、当該時間情報に対応する第１の機器が提供する前記第２の設定情報を用いた、前記第１の機器への無線接続を確立してもよい。
【００２６】
例えば、さらに、前記無線通信装置が提供する前記第１の設定情報を用いて前記無線接続を行っているか否かを検出する検出ステップを含み、前記検出ステップにおいて前記第１の設定情報を用いて前記無線接続を行なっていないと検出した場合、当該第１の機器が提供する前記第１の設定情報を用いて、前記第１の機器への前記無線接続が可能な状態に切り替えてもよい。
【００２７】
例えば、前記第１の受信ステップでは、さらに、前記第１の設定情報を保持している宅内の第３の機器からの第４の無線信号を受信し、前記第２の機器の前記表示部に前記ＵＩ画面を表示中に、前記第１の機器が宅内または宅外のいずれに位置するのかを判断するための指標となる情報を要求する入力が前記ＵＩ画面を介してなされると、所定の条件を満足する第３の機器に関する情報を含むＵＩ画面を前記第２の機器の前記表示部に表示させてもよい。
【００２８】
例えば、前記無線通信装置は、前記第３の機器の情報および前記第１の機器の情報を保持し、前記第３の機器の情報および前記第１の機器の情報は、それぞれ機種の情報を含み、前記所定の条件は、前記第１の機器の機種と同じであることであるとしてもよい。
【００２９】
例えば、前記無線通信装置は、前記第３の機器の情報および前記第１の機器の情報を保持し、前記第３の機器の情報および前記第１の機器の情報はそれぞれから送信される無線信号の電波強度の情報を含み、前記所定の条件は、前記第１の機器の前記第１の無線信号の電波強度と同程度であることであるとしてもよい。
【００３０】
例えば、さらに、前記第１の機器が宅内に位置するのか、または宅外に位置するのかを判定する判定ステップを含み、前記第３の送信ステップでは、前記判定ステップにおいて前記宅外に位置すると判定した第１の機器の情報を、前記判定ステップにおいて前記宅内に位置すると判定した第１の機器と異なるように表示させる情報を前記表示情報として送信してもよい。
【００３１】
例えば、前記判定ステップでは、前記無線通信装置に対応する認証情報が保持されている第１の機器を前記宅内に位置すると判定してもよい。
【００３２】
例えば、前記判定ステップでは、前記第３の機器と機種が異なる第１の機器を前記宅内に位置すると判定してもよい。
【００３３】
例えば、前記判定ステップは、前記第３の機器の電源を投入している時間が類似する第１の機器を前記宅内に位置すると判定してもよい。
【００３４】
例えば、前記判定ステップでは、電源を投入してから所定の時間が経過していない第１の機器を前記宅内に位置すると判定してもよい。
【００３５】
また、例えば、無線通信装置であって、前記無線通信装置への無線接続を確立するための第１の設定情報を保持していない第１の機器から送信された第１の無線信号であって、前記第１の機器への無線接続を確立するための第２の設定情報を含む第１の無線信号を受信する第１の受信部と、前記第１の設定情報を保持している第２の機器から、前記第１の機器の認証に用いる情報であって、前記第１の機器に固有に対応付けられている認証情報を受信する第２の受信部と、前記第２の受信部が受信した前記第１の機器の前記認証情報を保持する保持部と、前記第１の受信部において受信された前記第１の無線信号に含まれる前記第２の設定情報を用いて、前記第１の機器への無線接続を確立する確立部と、前記確立部が確立した無線接続において、前記認証情報を含む前記第２の無線信号を前記第１の機器へ送信する第１の送信部と、前記第１の送信部が送信した前記第２の無線信号に含まれる前記認証情報に対する応答情報を含む第３の無線信号を前記第１の機器から前記無線接続において受信する第３の受信部と、前記応答情報が認証成功を示す場合、前記第１の設定情報を前記第１の機器へ前記無線接続において送信する設定情報送信部と、を備える無線通信装置として実現してもよい。
【００３６】
例えば、認証情報の入力画面における表示方法であって、無線通信装置への無線接続を確立するための第１の設定情報を用いて前記無線通信装置への無線接続を確立する確立ステップと、前記第１の設定情報を保持していない第１の機器の認証に用いる情報であって、前記第１の機器に固有に対応付けられている認証情報を入力するためのＵＩ画面を表示するために用いるＵＩ情報を要求することにより、当該ＵＩ情報を前記無線通信装置から受信する受信ステップと、前記受信ステップにおいて受信した前記ＵＩ情報に基づき前記ＵＩ画面を表示する表示ステップと、前記ＵＩ画面を介して入力された認証情報を送信する送信ステップと、を含み、前記表示ステップでは、前記ＵＩ画面を表示中に前記第１の機器が宅内または宅外のいずれに位置するのかを判定するための指標となる情報の要求を受信した場合、前記第１の設定情報を保持している前記第３の機器のうち所定の条件を満足するものに関する情報を含むＵＩ画面を表示する表示方法として実現してもよい。
【００３７】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００３８】
以下、本発明の一態様に係る無線接続設定方法、無線通信装置および表示方法について、図面を参照しながら具体的に説明する。
【００３９】
なお、以下で説明する実施の形態は、いずれも本発明の一具体例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４０】
（実施の形態１）
始めに、本発明の一態様に係る無線接続設定システムの実施行為のうち、使用行為についての形態を説明する。
【００４１】
図１は、本発明に係る無線接続設定システムの使用行為についての形態の一例を示す図である。
【００４２】
無線接続設定システム１は、宅外サーバー１０１（クラウド１０１と称す）と、表示機器１０２と、宅内サーバー１０３と、機器１０４、１０５、１０６とを備える。
【００４３】
宅外サーバー１０１（クラウド１０１と称す）は、例えば宅外のネットワークを介してユーザにインターネットサービスを提供する。宅外のネットワークは、有線のネットワークおよび無線のネットワークの一方または両方を含む。
【００４４】
表示機器１０２は、宅内サーバー１０３とホームネットワーク（図示せず）を介して無線接続が既になされている。表示機器１０２と宅内サーバー１０３との間のホームネットワーク（図示せず）は、有線のネットワークであってもよいし、無線のネットワークであってもよい。以降、ホームネットワークは、宅内サーバー１０３により提供されるネットワークのことを指す。表示機器１０２は、画像を表示する表示部と、当該表示された画像に対しての入力を受け付ける入力部との両方の機能を有するタッチパネル１０２ａを備える。なお、表示機器１０２は、表示部と入力部との両方の機能を有しているタッチパネル１０２ａが採用されていなくてもよく、入力部は例えば、物理的な入力ボタンであってもよいし、キーボード、マウスなどの入力装置であってもよい。
【００４５】
宅内サーバー１０３は、無線通信の親機に対応する無線通信装置（以降、「親機」という。）の一例である。親機は、宅内サーバー１０３に限定される必要はなく、中継器、ルータ装置などであってもよい。
【００４６】
表示機器１０２は、宅内サーバー１０３に指示を出して宅内サーバー１０３の子機に対応する無線通信装置（以降、「子機」という。）の一例である機器１０４、１０５、１０６を制御する装置である。機器１０６は、宅内サーバー１０３と所定の無線通信の方式を用いたホームネットワークによる無線接続が既になされている。機器１０４、１０５のそれぞれは、宅内サーバー１０３が提供する、所定の無線通信の方式を利用したホームネットワークに対する、新たな無線接続をこれから行なおうとするものである。宅内サーバー１０３により提供されるホームネットワークに利用する無線通信の方式には、例えばＷｉＦｉ（Ｗｉｒｅｌｅｓｓ  Ｆｉｄｅｌｉｔｙ）、Ｚｉｇｂｅｅ（登録商標）、特小（特別小電力無線）などがある。宅内サーバー１０３は、第１の無線通信の方式と、第１の無線通信の方式とは異なる第２の無線通信の方式とで、ホームネットワークを提供することが可能である。つまり、宅内サーバー１０３は、互いに異なる複数の無線通信の方式を用いて、ホームネットワークを提供することが可能である。また、宅内サーバー１０３が利用できる複数の無線通信の方式のうちのいずれか１つは、宅内サーバー１０３と機器１０４、１０５が送信するビーコン信号に用いる無線通信の方式と共通する。
【００４７】
図１で示す機器１０４、１０５、１０６は、それぞれ、エアコン、電子レンジ、冷蔵庫であり、宅内にある３台のいわゆる白物家電機器を例にとったが、無線機能を搭載した機器であれば機器の種類や数は問わない。
【００４８】
図２は、宅内サーバーが提供する無線のホームネットワークへの接続設定が未だなされていない（未設定ともいう）機器１０４、機器１０５をそれぞれ認証するための認証情報を、表示機器１０２のタッチパネル１０２ａに表示されるユーザインターフェース（以降、「ＵＩ」という。）画面１１０を介して入力するときの一例を示す図である。
【００４９】
表示機器１０２にＵＩ画面１１０を表示させるために、事前に、宅内サーバー１０３は、表示機器１０２のタッチパネル１０２ａへＵＩ画面１１０を表示させるための表示情報を生成し、生成した表示情報を表示機器１０２へ送信する。本例は、表示機器１０２のタッチパネル１０２ａが宅内サーバー１０３から取得した機器一覧として機器１０４、機器１０５、機器１０６の情報を示している。宅内サーバー１０３は、ＷＰＳ等で接続設定されており、宅内サーバー１０３とＷＰＳ等を用いて無線接続を行うための設定情報２０１を保有している。機器１０４は機器認証のための認証情報であるＰＩＮコード２０３を保持している。機器１０５は機器認証のための認証情報であるＰＩＮコード２０４を保有している。機器１０６は機器認証のための認証情報であるＰＩＮコード２０５を保有している。
【００５０】
宅内サーバー１０３は、自身が提供する無線のホームネットワークに無線接続するための設定情報２０１を保持している。設定情報は、例えば無線通信の方式に対応するホームネットワークのネットワークＩＤを含む。例えば、宅内サーバー１０３が、ＷｉＦｉ、特小、Ｚｉｇｂｅｅ（登録商標）のそれぞれの無線通信の方式に対応する場合を考える。
【００５１】
この場合、宅内サーバー１０３は、ＷｉＦｉを利用するときのホームネットワークのネットワークＩＤを含む設定情報、特小を利用するときのホームネットワークのネットワークＩＤを含む設定情報、Ｚｉｇｂｅｅ（登録商標）を利用するときホームネットワークのネットワークＩＤを含む設定情報の３つを保持することになる。つまり、宅内サーバー１０３は、互いに異なる複数の無線通信の方式に対応する、互いに異なる複数の設定情報を保持している。
【００５２】
このとき、設定情報は、複数のネットワークＩＤにそれぞれ対応する複数のパスワードもあわせて含んでいれば、ネットワークＩＤに対応するホームネットワークを利用して無線通信を行うとき、このパスワードを利用した暗号化通信を行うことも可能となる。
【００５３】
また、ＷｉＦｉを利用するときのホームネットワークのネットワークＩＤは、ＳＳＩＤ（Ｓｅｒｖｉｃｅ  Ｓｅｔ  ＩＤｅｎｔｉｆｉｅｒ）とも言われる。
【００５４】
また、特小またはＺｉｇｂｅｅ（登録商標）を利用するときのホームネットワークのネットワークＩＤは、ＰＡＮＩＤとも言われる。
【００５５】
宅内サーバー１０３は、例えば無線通信を利用したホームネットワークを介して機器１０６と接続するとき、利用させる無線通信の方式に対応する設定情報２０１をコピーし、設定情報２０１をコピーすることにより得られた設定情報２０２を機器１０６に保持させる。これにより宅内サーバー１０３と機器１０６とには、ともに同じネットワークＩＤを含む設定情報が保持されることになる。
【００５６】
機器１０６は、設定情報２０２に含まれるネットワークＩＤに対応する無線通信のホームネットワーク上でのＩＰアドレスが割り当てられ、当該ホームネットワーク上でＩＰプロトコルに基づく通信が可能となる。
【００５７】
図２に示す例では、機器１０６は、例えばＷＰＳ等で宅内サーバー１０３と所定の無線通信の方式を用いて無線接続を行うための接続設定が完了しており、当該無線通信の方式に対応する設定情報２０２を保有している状態を示している。
【００５８】
宅内サーバー１０３は、無線通信を利用してビーコン信号を送信することができる。宅内サーバー１０３から送信されるビーコン信号には、例えば宅内サーバー１０３に固有に割り当てられたＭＡＣアドレスが含まれている。
【００５９】
未設定の機器１０４および機器１０５は、それぞれ宅内サーバー１０３からのビーコン信号を受信し、受信したビーコン信号に含まれる宅内サーバー１０３のＭＡＣアドレス（Ｍｅｄｉａ  Ａｃｃｅｓｓ  Ｃｏｎｔｒｏｌ  Ａｄｄｒｅｓｓ）を保持しておく。
【００６０】
機器１０４および機器１０５は、宅内サーバー１０３が提供する、無線通信を利用したホームネットワークへの接続設定が未だなされていない。従って、宅内サーバー１０３が予め保持している設定情報に含まれるネットワークＩＤに対応する無線通信のホームネットワーク上でのＩＰアドレスは、機器１０４、機器１０５には、割り当てられていない。
【００６１】
しかしながら、機器１０４および機器１０５は、それぞれ無線通信を利用してビーコン信号を定期的に送信することができる。例えば機器１０４から送信されるビーコン信号には、機器１０４に固有に割り当てられたアドレス情報であるＭＡＣアドレス、機器１０４の品番に関する情報（または機器１０４の品番を示す情報）、機器１０４との無線接続のための設定情報などが含まれている。なお、ビーコン信号に含まれる機器１０４の品番に関する情報は、機器１０４を特定する機器特定情報であれば品番に関する情報でなくてもよく、メーカー、ベンダー、型番、製品種別、製造年月日、製造場所などの情報やこれらの情報の組み合わせなどであってもよい。
【００６２】
また、例えば、機器１０５から送信されるビーコン信号には、機器１０５に固有に割り当てられたアドレス情報であるＭＡＣアドレス、機器１０５の品番に関する情報、機器１０５との無線接続のための設定情報などが含まれている。
【００６３】
無線通信を利用したビーコン信号が届く範囲に宅内サーバー１０３があれば、宅内サーバー１０３は、未設定の機器１０４および機器１０５が宅内サーバー１０３と無線通信できる範囲に存在することを認識できる。
【００６４】
宅内サーバー１０３は、例えば未設定の機器１０４および機器１０５から送信されるビーコン信号を受信する。そして、宅内サーバー１０３は、受信したビーコン信号の無線通信の種別を判定し、かつ、この信号に含まれるＭＡＣアドレス、品番に関する情報および設定情報を、後述する無線モード管理情報および機器管理情報に保持しておく。
【００６５】
つまり、宅内サーバー１０３は、宅内サーバー１０３との無線接続のための第１の設定情報を保持していない第１の機器としての機器１０４（または機器１０５）から、当該機器１０４（または機器１０５）との無線接続のための第２の設定情報を含むビーコン信号（第１の無線信号）を受信する。そして、宅内サーバー１０３は、第１の無線通信および第２の無線通信の方式から、機器１０４（または機器１０５）から受信したビーコン信号（第１の無線信号）に用いられた無線通信の方式を特定する。
【００６６】
このとき、例えば未設定の機器１０４および機器１０５のそれぞれから初めてビーコン信号を受信したときの日時を機器１０４および機器１０５のそれぞれの購入日時として保持するようにしてもよい。機器を購入したユーザは、機器を購入した日に電源をＯＮにすることが多いと予想されるからである。
【００６７】
このとき、宅内サーバー１０３は、未設定の機器１０４および機器１０５のそれぞれから受信したビーコン信号において、このビーコン信号を定期的に受信している間は、対応する機器の電源がＯＮであることを示す情報を生成し、当該情報を保持するようにしてもよい。また、宅内サーバー１０３は、未設定の機器１０４および機器１０５のそれぞれからビーコン信号を受信してから一定時間経過してもビーコン信号の受信がない場合には、当該ビーコン信号に対応する機器の電源がＯＦＦであることを示す情報を生成し、当該情報を機器管理情報に保持するようにしてもよい。つまり、宅内サーバー１０３は、未設定の機器１０４および機器１０５のそれぞれから受信したビーコン信号を定期的に受信しているか否かに応じて、当該ビーコン信号に対応する機器の電源のＯＮ／ＯＦＦを示すＯＮ／ＯＦＦ情報を生成し、生成したＯＮ／ＯＦＦ情報を機器管理情報に保持していてもよい。
【００６８】
また、宅内サーバー１０３は、機器１０４および機器１０５から受信したビーコン信号に含まれる品番号を示す情報を用いた検索を、例えばクラウド１０１へ依頼する。クラウド１０１は、例えば機器の品番号を示す情報を受け取ると、当該品番号に対応する機器の種類、当該機器に対応する関連情報などを検索し、検索結果を宅内サーバー１０３へ送信する。つまり、宅内サーバー１０３は、品番号を示す情報（機器特定情報）に関連する関連情報をクラウド１０１（サーバー）から取得する。
【００６９】
機器に対応する関連情報とは、例えば、当該機器を示すアイコン情報を格納する格納場所を示すＵＲＬ、またはアイコン画像情報などがある。
【００７０】
宅内サーバー１０３は、受け取った機器の種類および機器に対応する関連情報を、当該機器の品番号と関連付けて、関連付けの結果をＵＩデータ情報として保持する。
【００７１】
これにより、宅内サーバー１０３は、未設定の機器１０４および機器１０５の品番号に関連する関連情報をクラウド１０１から取得することができる。
【００７２】
また、未設定の機器１０４および機器１０５が、宅内サーバー１０３が提供する、無線通信を利用したホームネットワークへの無線接続が完了するまでは、宅内サーバー１０３と未設定の機器１０４および機器１０５は、互いのＭＡＣアドレスと未設定の機器１０４および機器１０５から提供される設定情報とを利用して、無線通信を行う。
【００７３】
宅内サーバー１０３は、設定モードと、通常モードとで動作する。設定モードは、未設定の機器１０４および機器１０５に対して接続設定を行うためのモードである。通常モードは、宅内サーバー１０３が提供する設定情報およびホームネットワークを利用して所定の方式の無線通信を行うモードである。宅内サーバー１０３は、設定モードで動作している場合、未設定の機器１０４から送信される設定情報を用いて、機器１０４との間で無線通信を行う。
【００７４】
表示機器１０２は、宅内サーバー１０３が提供するホームネットワークに、設定済みの機器、および、未設定の機器の一覧を表示するためのＵＩ画面１１０を取得するための要求を宅内サーバー１０３へ発行する。宅内サーバー１０３は、要求を受信した後、設定済みの機器、および、未設定の機器の品番号（機器特定情報）と、関連情報とを含む情報を表示情報として表示機器１０２に送信する。この後、表示機器１０２は、宅内サーバー１０３から受信した表示情報に従って、表示機器１０２のタッチパネル１０２ａに接続設定済みの機器、および、未設定の機器の一覧を表示する。
【００７５】
表示機器１０２のタッチパネル１０２ａに表示されるＵＩ画面１１０には、図２に示すように、未設定の機器１０４および機器１０５を示すアイコン１１１、１１２と、アイコン１１１、１１２の横にＰＩＮコードを入力するための入力欄１１３、１１４が表示される。表示機器１０２のタッチパネル１０２ａに対してユーザからＰＩＮコードの入力がなされて、「設定」の入力ボタン１１５が押されると、表示機器１０２から宅内サーバー１０３に入力されたＰＩＮコードの送信が行われる。これにより、宅内サーバー１０３は、表示機器１０２から未設定の機器１０４および機器１０５の認証に用いるＰＩＮコード（認証情報）を受信する。ＰＩＮコードは、例えば機器ごとに異なる値が割り当てられた情報である。ＰＩＮコードは、機器のメモリ、ハードディスクなどのストレージに予め格納されている。また、ＰＩＮコードは、例えば機器を購入したときに付随する保証書などに記載されており、購入者は、ＰＩＮコードを入力する場合に保証書を参照して入力することになる。つまり、機器１０４、１０５、１０６が有している認証情報（ＰＩＮコード）は、それぞれの機器に固有に対応付けられている情報である。この認証情報は、機器を特定できればよいため、ＰＩＮコードに限らずに、ＱＲコード（登録商標）、バーコード、画像などであってもよい。
【００７６】
例えば、表示機器１０２のＵＩ画面１１０において、エアコンに対応する機器１０４のＰＩＮコードを入力する入力欄１１３にＰＩＮコードの入力がなされ、「設定」の入力ボタン１１５が押された場合を考える。
【００７７】
宅内サーバー１０３は、エアコンに対応する機器１０４のＰＩＮコードの送信を表示機器１０２から受信すると、機器１０４に対応する情報と関連付けて受け取ったＰＩＮコードを機器管理情報に保持する。
【００７８】
宅内サーバー１０３は、所定のタイミングで認証を行う。認証のタイミングは、認証の対象となる機器について、ＰＩＮコードを機器管理情報に保持した後に、対象となる機器の電源がＯＮしたことを宅内サーバー１０３が検出したときとしてもよい。
【００７９】
または、認証のタイミングは、認証の対象となる機器について、ＰＩＮコードの入力時において、ＰＩＮコードの入力とともに、入力された予定時刻に到達したときとしてもよい。この場合は、表示機器１０２のタッチパネル１０２ａにＵＩ画面１１０として、ＰＩＮコードの入力欄とともに、認証を行う予定時刻を入力するための入力欄が表示されることになり、これらの入力欄に入力された情報が宅内サーバー１０３に送信される。そして、宅内サーバー１０３は、受信した情報を用いて、当該情報に含まれる予定時刻に到達したタイミングで、当該情報に含まれるＰＩＮコードにより認証を行う。
【００８０】
または、認証のタイミングは、無線通信装置（つまり宅内サーバー１０３）が提供する設定情報を用いて設定済みの機器と通信を行なっていないと判断したときとしてもよい。
【００８１】
宅内サーバー１０３は、認証を行う前に、認証の対象となる機器から送信されるビーコン信号から、認証の対象となる機器が提供する無線通信の設定情報を予め取り出しておく。そして、宅内サーバー１０３は、認証を行うときにこの設定情報を用いて対象となる機器と通信する。このようにすることにより、宅内サーバー１０３と認証の対象となる機器（この例では機器１０４）との間で無線通信が行われ、宅内サーバー１０３は、認証の対象となる機器へ認証情報の送信を行うことが可能となる。
【００８２】
宅内サーバー１０３は、未設定の機器１０４とＰＩＮコードを用いた認証を行う。この場合、宅内サーバー１０３は、機器１０４から受信したビーコン信号から特定した無線通信の方式を用いて、表示機器１０２から受信した、機器１０４に対応するＰＩＮコードを含むビーコン信号（第２の無線信号）を機器１０４へ送信する。宅内サーバー１０３は、機器１０４に対応するＭＡＣアドレスを用いて、ビーコン信号を機器１０４へ送信する。
【００８３】
機器１０４は、宅内サーバー１０３から送られるビーコン信号に含まれるＰＩＮコードと自身が保持する認証情報であるＰＩＮコードとが一致するか否かを判断する。機器１０４は、受信したＰＩＮコードと認証情報として保持しているＰＩＮコードとが一致すると判断した場合、認証が成功したことを示す応答情報をビーコン信号（第３の無線信号）に含めて宅内サーバー１０３へ送信する。また、機器１０４は、受信したＰＩＮコードと認証情報として保持しているＰＩＮコードとが一致しないと判断した場合、認証が失敗したことを示す応答情報をビーコン信号（第３の無線信号）に含めて宅内サーバー１０３へ送信する。このとき、機器１０４は、宅内サーバー１０３に対応するＭＡＣアドレスを用いて、ビーコン信号（第３の無線信号）を宅内サーバー１０３へ送信する。
【００８４】
これにより、宅内サーバー１０３は、ビーコン信号（第２の無線信号）に含まれるＰＩＮコード（認証情報）に対する応答情報を含むビーコン情報（第３の無線信号）を機器１０４から受信する。宅内サーバー１０３は、機器１０４から送信されたビーコン信号にＰＩＮコード認証が成功したことを示す応答情報が含まれる場合には、自身が提供する設定情報のうち、機器１０４から受信した無線信号に用いられた無線通信の方式に対応する設定情報２０１をコピーして、コピーした設定情報２０２をビーコン信号に含めて、認証が成功した機器１０４へ送信する。つまり、宅内サーバー１０３は、応答情報が認証成功を示す場合、保持している複数の無線通信の方式に対応する複数の設定情報のうち、機器１０４から受信した無線信号と同じ方式の無線通信の方式に対応する設定情報を、機器１０４へ送信する。機器１０４は、設定情報２０１がコピーされた情報を設定情報２０２として保持する。
【００８５】
その後、宅内サーバー１０３は、認証の対象となる機器１０４が提供する設定情報を用いた無線接続から、自身が提供する設定情報のうち、機器１０４から受信した無線信号の種別に対応する設定情報を用いた無線接続に切り替えて、当該無線接続において機器１０４と無線通信を行う。
【００８６】
未設定の機器１０４は、設定情報２０２を利用して、宅内サーバー１０３が提供する、無線を利用したホームネットワークへの無線接続を確立する。このとき、対応する無線を利用したホームネットワーク上でのＩＰアドレスが機器１０４へ付与される。また、機器１０４は、無線を利用したホームネットワーク上に繋がっている宅内サーバー１０３のＩＰアドレスの情報を取得できる。ホームネットワークへの無線接続が確立した後は、機器１０４は、ホームネットワーク上において、付与されたＩＰアドレスを用いて通信を行う。
【００８７】
上述の説明では、エアコンに対応するＰＩＮコードを入力する入力欄１１３にＰＩＮコード入力がなされ「設定」の入力ボタン１１５が押された場合について説明をした。電子レンジに対応するＰＩＮコードを入力する入力欄１１４にＰＩＮコード入力がなされ「設定」の入力ボタン１１５が押された場合についても同様である。ただしこの場合は、電子レンジに対応するのは機器１０５であるため、上述の説明において機器１０４を機器１０５に置き換えて読めばよい。
【００８８】
（無線機器設定システムの構成）
次に、本実施の形態に係る無線接続設定システム１の詳細について説明する。
【００８９】
図３は、無線接続設定システムに用いる表示機器１０２、宅内サーバー１０３、機器１０４の内部構成の一例を示すブロック図である。
【００９０】
図３に示すように、表示機器１０２は、例えば、表示制御部３０１、入力制御部３０２、ＵＩ実行部３０３、および無線通信部３０４を有する。また、図３に示すように、宅内サーバー１０３は、例えば、設定制御部３０５、ＵＩ管理部３０６、無線制御部３０７、機器管理部３０８、および無線通信部３０９を有する。また、図３に示すように、機器１０４は、例えば、入力制御部３１０、設定状態管理部３１１、認証情報管理部３１２、無線制御部３１３、および無線通信部３１４を有する。図３では、機器１０４の内部構成の一例をブロック図として示しているが、機器１０５、機器１０６の内部構成のついても、図３に示す機器１０４の内部構成と同様の構成であるため、図示を省略する。
【００９１】
まず表示機器１０２について説明をする。
【００９２】
表示制御部３０１は、ＵＩ実行部３０３で実行された結果に対応するＵＩ画面１１０のタッチパネル１０２ａへの表示を制御する。入力制御部３０２は、タッチパネル１０２ａに表示されたＵＩ画面１１０を介して、ユーザからのタッチパネル１０２ａへの入力を受け付け、受付けた結果をＵＩ実行部３０３へ送信する。
【００９３】
ＵＩ実行部３０３は、無線通信部３０４を介して宅内サーバー１０３のＵＩ管理部３０６から取得したＵＩデータ情報を用いてＵＩ画面１１０をタッチパネル１０２ａに表示する。
【００９４】
無線通信部３０４は、図示しない通信回路を制御して無線を利用したホームネットワークを介してデータを送受信する。ＷＰＳやＡＯＳＳによるデータの送受信は、無線通信部３０４により行われる。無線通信部３０４は、具体的には、ＵＩ実行部３０３に入力制御部３０２から受信した情報を宅内サーバー１０３に送信したり、宅内サーバー１０３で生成されたＵＩ画面１１０を表示するための表示情報を受信したりする。
【００９５】
表示制御部３０１、入力制御部３０２、ＵＩ実行部３０３、および無線通信部３０４はそれぞれ、例えばその動作を規定するプログラムとして図示しないメモリに格納されており、図示しないＣＰＵにより実行されることにより機能する。
【００９６】
次に、宅内サーバー１０３について説明をする。
【００９７】
ＵＩ管理部３０６は、表示機器１０２で実行されるＵＩ画面１１０の生成に用いるＵＩデータ情報をメモリ、ハードディスクといったストレージに保持する。また、ＵＩ管理部３０６は、表示機器１０２から送信された情報に含まれるユーザからの指示を示す情報（機器一覧取得、ＰＩＮコード等）を受け付けて、当該ユーザからの指示を設定制御部３０５へ送信する。
【００９８】
設定制御部３０５は、ユーザからの指示を示す情報を、ＵＩ管理部３０６から受信すると、ＵＩ管理部３０６に対して、当該情報に含まれる機器の名前や当該機器に対応するアイコンデータ等のＵＩデータの生成するための指示を出す。
【００９９】
また、設定制御部３０５は、無線制御部３０７に対して、無線制御部３０７の動作モードに関する指示を出す。具体的には、設定制御部３０５は、無線制御部３０７を通常モード（ＳＴＡ）で起動させるための指示または設定モード（ＡＰ）で起動させるための指示を出す。また、設定制御部３０５は、ＷＰＳの実行等の指示を出す。また設定制御部３０５は、機器管理部３０８に対して機器一覧の取得等の指示を出す。
【０１００】
無線制御部３０７は、設定制御部３０５からの指示を受け、無線通信部３０９に対してＡＰとして通信を行う通信モード（設定モード）、および、ＳＴＡとして通信を行う通信モード（通常モード）の切り替えを行ったり、ＷＰＳの実行を行ったりする。
【０１０１】
機器管理部３０８は、設定制御部３０５からの指示を受け、機器１０４、機器１０５、および機器１０６の情報を機器管理情報に保持し、管理する。
【０１０２】
無線通信部３０９は、図示しない通信回路を制御して無線を利用したホームネットワークを介してデータを送受信する。ＷＰＳやＡＯＳＳによるデータの送受信は、無線通信部３０９により行われる。
【０１０３】
設定制御部３０５、ＵＩ管理部３０６、無線制御部３０７、機器管理部３０８、および無線通信部はそれぞれ、例えば、上述した動作を規定するプログラムが図示しないメモリに格納されており、図示しないＣＰＵにより実行されることにより機能する。
【０１０４】
次に機器１０４について、説明をする。
【０１０５】
入力制御部３１０は、ユーザからの入力を受け付け、受付けた入力を示す情報を設定状態管理部３１１へ送信する。設定状態管理部３１１は、入力制御部３１０からの入力を示す情報として、電源ＯＮ等の指示を受けると、機器１０４が未設定の機器である場合は、無線制御部３１３に対してＡＰとして起動させるための指示を出したり、宅内サーバー１０３からのＷＰＳの実行指示を受け付けて、認証情報管理部３１２から認証情報を取得しＷＰＳ実行指示を出したりする。
【０１０６】
認証情報管理部３１２は、機器認証のためのＰＩＮコード等の認証情報を管理する。無線制御部３１３は、設定状態管理部３１１からの指示を受け、無線通信部３１４に対してＡＰおよびＳＴＡの切り替えを行ったり、ＷＰＳの実行を行ったりする。無線通信部３１４は、図示しない通信回路を制御して無線を利用したホームネットワークを介してデータを送受信する。ＷＰＳやＡＯＳＳによるデータの送受信は、無線通信部３１４により行われる。
【０１０７】
入力制御部３１０、設定状態管理部３１１、認証情報管理部３１２、無線制御部３１３、および無線通信部３１４はそれぞれ、例えばその動作を規定するプログラムとして図示しないメモリに格納されており、図示しないＣＰＵにより実行されることにより機能する。
【０１０８】
なお、本実施形態１に係る無線接続設定システムで利用される宅内サーバー１０３が表示機能を保有している場合には表示機器の機能は宅内サーバーに組み込まれていてもよい。この場合、表示機器１０２は、必ずしも必要ないことになる。
【０１０９】
また、ＵＩデータ情報は、表示機器１０２が保有し、宅内サーバー１０３内のＵＩ管理部へ指示を送信しても良い。
【０１１０】
図４は、宅内サーバー１０３内の設定制御部３０５の内部構成を示すブロック図である。図４に示すように、設定制御部３０５は、設定判定部３０５１、設定情報管理部３０５２、および無線モード管理部３０５３から構成される。
【０１１１】
設定判定部３０５１は、設定情報管理部３０５２が保有している設定情報を利用して接続設定可能か否かを判定する。
【０１１２】
また、設定判定部３０５１は、例えば無線モード管理部３０５３が保持する無線モード管理情報７０１（図７参照）に基づいて、宅内サーバー１０３の動作モードを設定モードに切り替えてよいか否かを判断する。設定判定部３０５１は、この判断として、例えば通常モードにおいて宅内サーバー１０３が提供するホームネットワークに無線接続する機器がない場合に、設定モードの無線機能を利用可能と判断する。
【０１１３】
また設定判定部３０５１は、機器管理部３０８に保持された機器管理情報９０１（図９参照）から取得した未設定の機器の情報に基づいて、対応する未設定の機器から提供されたネットワークＩＤを無線モード管理情報７０１から特定し、特定したネットワークＩＤを用いてＡＰとして起動（つまり設定モードで起動）し、設定情報管理部３０５２で管理している設定情報を使用してＷＰＳの実行等の指示を出すかの判定を行う。
【０１１４】
また、設定判定部３０５１は、機器管理部３０８に保持された機器管理情報９０１から取得した接続設定済みの機器と通信するために無線モード管理部３０５３に対してＳＴＡとして起動するか否かを判定する。
【０１１５】
設定情報管理部３０５２は、無線を利用したホームネットワークに無線接続するための設定情報を管理する。
【０１１６】
無線モード管理部３０５３は、現在動作中のモード（通常（ＳＴＡ）モードまたは設定（ＡＰ）モード）を後述する無線モード管理情報を用いて管理する。
【０１１７】
図５は、機器１０４内の設定状態管理部３１１の内部構成を示すブロック図である。図５に示すように、設定状態管理部３１１は、状態判定部３１１１、設定情報管理部３１１２、および無線モード管理部３１１３から構成される。
【０１１８】
状態判定部３１１１は、設定情報管理部３１１２が宅内サーバー１０３から送信された設定情報を保有しているか否か判定する。状態判定部３１１１は、当該設定情報を保有している場合には、設定情報を利用して接続設定可能か否かを判定する。
【０１１９】
また状態判定部３１１１は、宅内サーバー１０３から送信された設定情報を保有しておらず、未設定であると判定した場合は、無線モード管理部３１１３に対して設定モードで（ＡＰとして）起動するための指示を出す。このとき、状態判定部３１１１は、無線モード管理部３１１３が管理している無線モード管理情報に基づいて、設定モード時において利用する設定情報（ネットワークＩＤ）を指定する。また状態判定部３１１１は、無線モード管理部３１１３が宅内サーバー１０３から設定指示を受けるとＷＰＳの実行指示を出す。
【０１２０】
設定情報管理部３１１２は、宅内サーバー１０３が提供する無線ネットワークに無線接続するための設定情報（つまり、宅内サーバー１０３から送信された設定情報）を管理する。
【０１２１】
無線モード管理部３１１３は、機器１０４において、現在動作中のモード（通常（ＳＴＡ）モードまたは設定（ＡＰ）モード）を管理する。
【０１２２】
図６は、宅内サーバー１０３が保持する設定情報の一例を示す図である。
【０１２３】
設定情報６０１は、宅内サーバー１０３内の設定情報管理部３０５２により管理されており、宅内サーバー１０３が提供可能な無線通信の方式、無線通信の方式に対応するネットワークＩＤ、およびネットワークＩＤに対応するパスワードを含んでいる。つまり、設定情報６０１は、複数の異なる無線通信の方式ごとに、ネットワークＩＤおよびパスワードが関連づけられている。
【０１２４】
図７は、宅内サーバー１０３が保持する無線モード管理情報の一例を示す図である。
【０１２５】
無線モード管理情報７０１は、宅内サーバー１０３内の無線モード管理部３０５３により管理されている。無線モード管理情報７０１は、例えば宅内サーバー１０３における現在の動作モード（設定／通常）、動作モードの状態（起動／停止）、ネットワークＩＤ、パスワード、および、ホームネットワークへの設定状態（設定／未設定）を含んでいる。
【０１２６】
図８は、宅内サーバー１０３が保持するＵＩデータ情報の一例を示す図である。
【０１２７】
ＵＩデータ情報８０１は、宅内サーバー１０３内のＵＩ管理部３０６が管理しており、品番、機種名、およびアイコン情報を含んでいる。この例では、アイコン情報は、アイコン画像を格納するＵＲＬに関する情報を含む。宅内サーバー１０３は、このＵＲＬへアクセスすることにより最新のアイコン画像を取得することができる。
【０１２８】
図９は、宅内サーバー１０３が保持する機器管理情報の一例を示す図である。
【０１２９】
機器管理情報９０１は、宅内サーバー１０３内の機器管理部３０８により管理されており、機器の品番、ＰＩＮコード、無線タイプ、設定状態、および電源状態を含んでいる。無線タイプとはＷｉＦｉ、特小、Ｚｉｇｂｅｅ（登録商標）等の無線ネットワークの種類（つまり、無線通信の方式）を示している。
【０１３０】
図１０は、機器１０４が保持する無線モード管理情報の一例を示す図である。
【０１３１】
無線モード管理情報１００１は、機器１０４内の無線モード管理部３１１３により管理されており、動作モード（設定／通常）、動作モードの状態（起動／停止）、設定情報（ネットワークＩＤおよびパスワード）を含んでいる。この設定情報は、宅内サーバー１０３が提供する無線を利用したホームネットワークに機器１０４が無線接続できない間、利用される。
【０１３２】
図７、図１０において、ネットワークＩＤとして、対応する機器の品番の前に「ＣＬＭＳＴＡ−」を付けた文字列が設定されているが、これに限定をされる必要はなくネットワークＩＤと機器との関連付けが特定できる文字列であれば何でもよい。
【０１３３】
以下に図１１、図１２、および図１３のフローチャートを用いて無線接続設定システム１において宅内サーバー１０３が提供するホームネットワークへの未設定の機器１０４の接続設定を行う処理の詳細について説明する。具体的には、接続設定は、表示機器１０２からの指示により宅内サーバー１０３が保有している設定情報を未設定の機器１０４、機器１０５などにコピーすることで行われる。
【０１３４】
図１１は、無線接続設定システム１を構成する表示機器１０２、宅内サーバー１０３、機器１０４の具体的な動作の一例を示すフローチャートである。図１１において、表示機器１０２と宅内サーバー１０３との間では、ホームネットワークへの接続設定が既になされているものとする。また、表示機器１０２および宅内サーバー１０３には、それぞれホームネットワークにおいて利用するＩＰアドレスが与えられており、表示機器１０２および宅内サーバー１０３はＩＰアドレスを用いて相互に通信を行う。
【０１３５】
また、図１１に示す処理を開始する時点において、機器１０４は、ホームネットワークへの接続設定処理がまだ完了していない未設定の機器である。宅内サーバー１０３および機器１０４には例えばＭＡＣアドレスなどの固有のアドレスが予め割り当てられており、接続設定が完了するまでは、ＭＡＣアドレスを用いて相互に通信を行う。宅内サーバー１０３からの送信に用いる無線信号の種別は、機器１０４から送信される無線信号の種別と同じものである。つまり、宅内サーバー１０３は、機器１０４から送信される無線信号の種別を特定し、特定した無線信号と同じ種別の無線信号を用いて機器１０４への送信を行う。
【０１３６】
宅内サーバー１０３および機器１０４は、ＭＡＣアドレスを用いて相互に通信を行うとき、必要な情報をビーコン信号に含めて通信する。
【０１３７】
また、接続設定が完了すると、宅内サーバー１０３が提供するホームネットワークに接続する場合に用いるＩＰアドレスが機器１０４に与えられるので、接続設定が完了した後は、機器１０４および宅内サーバー１０３の間ではＩＰアドレスを用いた通信が行なわれる。
【０１３８】
まず、表示機器１０２で行われる処理のフローについて説明する。
【０１３９】
ユーザが表示機器１０２のタッチパネル１０２ａを操作して設定メニューの起動が指示（Ｓ１１０１）された場合、入力制御部３０２はＵＩ実行部３０３へ設定メニューの起動指示を送る。
【０１４０】
起動指示を受けたＵＩ実行部３０３は、無線通信部３０４を介して宅内サーバー１０３からＵＩデータ情報８０１からアイコン情報を取得し、かつ、機器管理情報９０１から機器の設定状態に関する情報の取得を要求する（Ｓ１１０２）。これにより、ＵＩ実行部３０３は、アイコン情報および設定状態に関する情報を取得し、取得したアイコン情報および設定状態に関する情報に基づいてＵＩ画面１１０の生成を実行し、表示制御部３０１へ実行結果としての表示情報を送る。つまり、表示機器１０２のＵＩ実行部３０３は、ＵＩ画面１１０を生成するために必要な情報（アイコン情報および設定状態に関する情報）を取得するためのＵＩ取得要求を宅内サーバー１０３に送信する。このとき、機器の設定状態に基づいて、未設定に機器に対してはＰＩＮを入力させるための情報を未設定の機器のアイコン情報と対応付けて表示し、設定済みの機器に対しては設定済みであることを示す情報を設定済みの機器のアイコン情報と対応付けて表示する。
【０１４１】
ユーザが未設定の機器１０４に対するＰＩＮコードの入力欄１１３にＰＩＮコードを入力すると、入力制御部３０２はＵＩ実行部３０３に入力されたＰＩＮコードを示す情報を送る。ＰＩＮコードを示す情報を受け取ったＵＩ実行部３０３は、無線通信部３０４を利用して宅内サーバー１０３へ、ＰＩＮコードを示す情報を送信するとともに、当該ＰＩＮコードでの機器１０４のＰＩＮ登録を指示（要求）する。そして、宅内サーバー１０３は、受け取った情報により示されるＰＩＮコードを機器管理情報９０１に登録する（Ｓ１１０３）。
【０１４２】
宅内サーバー１０３は、ＰＩＮ登録を行うと、ユーザにＰＩＮ登録が完了したことを示す登録完了を通知する。その後、表示機器１０２は、宅内サーバー１０３から送信される設定完了結果の受信の有無を監視する（Ｓ１１０４）。表示機器１０２は、宅内サーバー１０３から設定完了結果を受け取ると、ユーザに設定完了結果を通知する。そして、表示機器１０２は、ユーザからの指示を受け取った場合、設定メニューを終了する（Ｓ１１０５）。なお、表示機器１０２は、予め定められた時間が経過した場合に、設定メニューを終了してもよい。
【０１４３】
次に、宅内サーバー１０３で行われる処理のフローについて説明する。
【０１４４】
宅内サーバー１０３は、機器管理部３０８を利用して、所定のタイミング（例えば定期的）で未設定の機器および設定済みの機器を検索し、無線モード管理情報７０１および機器管理情報９０１を更新する（Ｓ１１０６）。ＵＩ管理部３０６は、表示機器１０２からのＵＩ取得要求（Ｓ１１０２）を受けると、無線通信部３０９を介して表示機器１０２に最新のＵＩデータ情報、および、機器管理情報９０１に含まれる対応する機器の設定状態を示す情報を送信する。
【０１４５】
その後、ＵＩ管理部３０６は、表示機器１０２からのＰＩＮ登録（Ｓ１１０３）を示す指示を受けると、機器管理部３０８と設定制御部３０５内の設定判定部３０５１とへ当該指示を送信する。
【０１４６】
機器管理部３０８は、ＰＩＮコードを登録することで機器管理情報９０１を更新し（Ｓ１１０７）、設定制御部３０５内の設定判定部３０５１は、登録したＰＩＮコードを利用して機器１０４と無線設定処理を行う（Ｓ１１０８）。無線設定処理（Ｓ１１０８）の詳細は図１２で説明する。無線設定処理が完了すると、機器管理部３０８は機器管理情報９０１をさらに更新する（Ｓ１１０９）。
【０１４７】
最後に、機器１０４で行われる処理のフローについて説明する。
【０１４８】
機器１０４では、電源をＯＮにされると設定状態管理部３１１内の状態判定部３１１１は、設定情報管理部３１１２に宅内サーバー１０３から送信された設定情報が保持されているか否か（つまり設定済みか否か）を確認する（Ｓ１１１０）。機器１０４は、設定済だと判定された場合（Ｓ１１１０でＹｅｓ）、特に何もしないで終了する。機器１０４では、設定済ではないと判定された場合（Ｓ１１１０でＮｏ）、状態判定部３１１１は、無線モード管理部３１１３に対して設定モードで動作するよう指示を出す。これにより、無線モード管理部３１１３は、無線制御部３１３に対して、無線モード管理部３１１３が保有する無線モード管理情報１００１のネットワークＩＤを指定することにより、無線制御部３１３がＡＰとして動作するように指示を出す。そして、機器１０４の無線通信部３１４は、無線モード管理情報１００１に保持されたネットワークＩＤおよびパスワードを含む設定情報をビーコン信号に含めて宅内サーバー１０３へ送信する（Ｓ１１１１）。機器１０４の無線制御部３１３は、宅内サーバー１０３からの指示を受けて、無線設定処理を行う（Ｓ１１０８）。
【０１４９】
図１２は、図１１における無線設定処理（Ｓ１１０８）の詳細に関するフローチャートである。
【０１５０】
まず、宅内サーバー１０３で行われる処理のフローについて説明する。
【０１５１】
宅内サーバー１０３の設定判定部３０５１は、設定が可能になるまで待つ（Ｓ１２０１）。なお、ステップＳ１２０１の設定時間待機処理の詳細は、図１３で説明する。ステップＳ１２０１により設定可能になると、設定判定部３０５１は、無線モード管理部３０５３に対して機器管理部３０８から取得した機器管理情報において、設定状態が未設定であり、かつ、電源がＯＮである機器（以降、「対象機器」という。）に対して設定モードに切り替えるよう指示を出す。
【０１５２】
無線モード管理部３０５３は、無線制御部３０７に対して、無線モード管理情報７０１から対象機器のネットワークＩＤおよびパスワードを取得して、対象機器と無線接続するように指示を出す（Ｓ１２０２）。無線接続が完了した後、無線モード管理部３０５３は、無線制御部３０７に対してＰＩＮコード認証を開始するように指示を出す（Ｓ１２０３）。このとき、図１１のＳ１１０３でＰＩＮコードが入力された後であるため、機器管理情報９０１には、対象機器のＰＩＮコードが反映されている。このため、無線制御部３０７は、機器管理情報９０１を用いて、対象機器に対応するＰＩＮコードを対象機器へ送信する。
【０１５３】
宅内サーバー１０３の無線モード管理部３０５３は、機器１０４からＰＩＮコード認証の結果（応答情報）を受け取ると、当該結果が認証成功を示すか否かを判定する（Ｓ１２０４）。当該結果が認証成功を示す場合（Ｓ１２０４でＹｅｓ）、無線モード管理部３０５３は、無線制御部３０７に対して、設定情報管理部３０５２が管理している設定情報６０１のうち、対象機器から受信したビーコン信号の無線通信の方式に該当する設定情報をコピーして、コピーした設定情報を送信するよう指示を出す。指示を受けた無線制御部３０７は、無線通信部３０９を利用して機器１０４に設定情報を送信する（Ｓ１２０５）。
【０１５４】
設定情報が送信されるとすると、設定判定部３０５１は、他に未設定の機器であって、電源ＯＮである対象機器があれば、対象機器の数だけステップＳ１２０２からステップＳ１２０５の処理を繰り返す。つまり、ステップＳ１２０２からステップＳ１２０５の処理は、１台の対象機器に対して行われる。全ての処理が完了すると、設定判定部３０５１は、無線モード管理部３０５３に対して、動作モードを設定モード（ＡＰ）から通常モード（ＳＴＡ）に切り替えて起動するよう指示を出す（Ｓ１２０６）。
【０１５５】
次に、機器１０４で行われる処理のフローについて説明する。
【０１５６】
状態判定部３１１１は、無線モード管理部３１１３が無線モード管理情報１００１の設定モード時に使用されるネットワークＩＤを宅内サーバー１０３から受信するまで待機する（Ｓ１２０７）。無線モード管理情報１００１の設定モード時のネットワークＩＤを宅内サーバー１０３から受信すると、状態判定部３１１１は、無線制御部３１３に対してＰＩＮ認証の開始指示を出して、宅内サーバー１０３からＰＩＮコードを受信するまで待機する（Ｓ１２０８）。状態判定部３１１１は、宅内サーバー１０３からＰＩＮコードを受信すると、受信したＰＩＮコードと、認証情報管理部３１２が管理している認証情報（ＰＩＮコード）とが一致しているか否かを判断する認証を行う（Ｓ１２０９）。そして、状態判定部３１１１は、無線通信部３１４を利用して宅内サーバー１０３へ認証結果を送信する（Ｓ１２１０）。受信したＰＩＮコードと管理しているＰＩＮコードとが一致した場合（つまり、認証成功の場合）、状態判定部３１１１は、宅内サーバー１０３から機器１０４の無線通信の方式に応じた設定情報を受信するのを待機し、受信した後に接続設定処理を行う（Ｓ１２１１）。状態判定部３１１１は、接続設定処理が終わると、宅内サーバー１０３に対して接続処理の結果を送信する（Ｓ１２１２）。
【０１５７】
図１３は、図１２における設定時間待機処理（Ｓ１２０１）の詳細に関するフローチャートである。
【０１５８】
設定判定部３０５１は、機器管理部３０８から機器管理情報９０１を取得して、取得した機器管理情報９０１にＰＩＮコードが登録されている未設定の機器があるか否かを判定する（Ｓ１３０１）。設定判定部３０５１は、ＰＩＮコードが登録されている未設定の機器があると判定した場合（Ｓ１３０１でＹｅｓ）、当該未設定の機器の電源がＯＮであるか否か判定する（Ｓ１３０２）。設定判定部３０５１は、未設定の機器の電源がＯＮであると判定した場合（Ｓ１３０２でＹｅｓ）、無線モード管理部３０５３から接続設定の用途に無線機能が利用可能か否かを判定する（Ｓ１３０３）。設定判定部３０５１は、接続設定の用途に無線機能が利用可能であると判定した場合（Ｓ１３０３でＹｅｓ）、設定時間待機処理を解除して、図１２のＳ１２０２以降の処理を開始する。設定判定部３０５１は、未設定の機器のＰＩＮコードが登録されていないと判定した場合（Ｓ１３０１でＮｏ）、未設定の機器の電源がＯＮでないと判定した場合（Ｓ１３０２でＮｏ）、または、接続設定の用途に無線機能が利用可能で無いと判定した場合（Ｓ１３０３でＮｏ）は、ステップＳ１３０１に戻る。つまり、設定判定部３０５１は、ステップＳ１３０１〜Ｓ１３０３での判定が全てＹｅｓになるまで、設定時間待機を継続する。
【０１５９】
このようにして、機器のＰＩＮコードを登録した時点で機器の電源が投入されていない場合やユーザが無線機能を使用するサービス（例：録画コンテンツの別の部屋での視聴）を利用中の場合には、宅内サーバー１０３の動作モードが設定モードに、切り替わらない。このような場合であっても、宅内サーバー１０３の設定判定部３０５１は、図１３の設定時間帯期処理を行うため、時間差で接続設定できるだけでなく、未設定機器は電源を投入した後、ユーザが無線機能を使用するサービスを利用しなくなったときに、接続設定を開始することが可能になる。
【０１６０】
また、宅内サーバー１０３に表示機能が備わっていない場合であっても表示機器１０２を利用して、機器の情報を入力できる。このため、ユーザの接続設定に対する入力の負担を軽減できる。
【０１６１】
図１４は、図１１おけるステップＳ１１０３において、表示機器１０２のＵＩ画面から入力されたＰＩＮコードを登録する場合、表示機器１０２のタッチパネル１０２ａに表示されるＵＩ画面１２０の一例（つまり、図２のＵＩ画面１１０とは別のＵＩ画面の一例）を示す図である。
【０１６２】
図１４のＵＩ画面１２０では、ユーザは、表示機器１０２のＵＩ画面１２０に表示されるソフトウェアキーボード（図示せず）等を用いてＰＩＮコードを入力する。このとき必要に応じて購入日時などの機器に関する情報を入力するための入力欄（図示せず）が表示され、当該入力欄に入力された情報を宅内サーバー１０３の機器管理情報９０１に追加して管理できるように構成してもよい。
【０１６３】
表示機器１０２のタッチパネル１０２ａに表示されるＵＩ画面１２０は、宅内サーバー１０３のＵＩ管理部３０６により生成された表示情報が表示機器１０２のＵＩ実行部３０３により実行されることによりタッチパネル１０２ａに表示される。表示情報は、ＵＩデータ情報に基づいて宅内サーバー１０３において生成される情報である。ＵＩデータ情報は、例えば、宅内サーバー１０３が、未設定の機器から送信されるビーコン信号に含まれる品番号をもとにクラウド１０１へ照会することで、エアコン、電子レンジ、冷蔵庫などの機器の種類に関する情報、および、機器に対応するアイコンの情報を取得することにより生成した情報である。
【０１６４】
ＵＩ画面１２０には、図１４に示すように、未設定の機器１０４および機器１０５を示すアイコン１２１、１２２と、アイコン１２１、１２２の横にＰＩＮコードを入力するための入力欄１２４、１２５とが表示される。また、ＵＩ画面１２０には、さらに、設定済みの機器１０６に関する情報１２３が表示される。つまり、設定済みの機器１０６に関する情報１２３は、具体的には、設定済みの機器１０６の、アイコン、機器の種類に関する情報、および、設定済みであることを示す情報を含む情報である。ＵＩ画面１２０には、さらに、入力欄１２４、１２５への入力を確定させるための「設定」の入力ボタン１２６が表示される。
【０１６５】
図１５は、図１１におけるステップＳ１１０３において、品番／ＰＩＮ登録時に表示機器１０２の表示画面に表示されるＵＩ画面１４０の一例を示す図である。つまり、図１５は、未設定の機器の品番を指定して、当該機器に対応するＰＩＮコードを入力するためのＵＩ画面１４０である。
【０１６６】
図１５のＵＩ画面１４０では、品番を入力するための入力欄１４１と、ＰＩＮコードを入力するための入力欄１４２と、入力欄１４１、１４２への入力を確定させるための「設定」の入力ボタン１４３とが表示される。ユーザは、表示機器１０２のＵＩ画面１４０に別途表示されるソフトキーボード（図示せず）等により品番およびＰＩＮコードを入力することができる。
【０１６７】
この例では、ステップＳ１１０３により、ＰＩＮ登録とともに品番登録がなされる。
【０１６８】
このＵＩ画面１４０を用いる場合、ＵＩ管理部３０６は、表示機器１０２からの品番／ＰＩＮ登録の要求を受ける（Ｓ１１０３）と、ＵＩデータ情報８０１に品番号を格納するとともに、品番号に対応する機器の種別、および、機器に関連する情報をクラウド１０１から取得して、取得した機器の種別および機器に関する情報をＵＩデータ情報８０１に格納する。その後、ＵＩ管理部３０６は、取得した機器の種別および機器に関する情報を、機器管理部３０８と設定制御部３０５内の設定判定部３０５１とへ通知する。このように構成をすれば、未設定の機器から送信されるビーコン信号に品番号を含める必要はなくなる。
【０１６９】
図１６は、図１１おけるステップＳ１１０３において、表示機器１０２のタッチパネル１０２ａに表示されるＵＩ画面１５０からＰＩＮコードを入力する場合、表示機器１０２のＵＩ画面の他の一例を示す図である。図１６に示す例では、表示機器１０２は、最新のＵＩデータ情報と、機器管理情報９０１に含まれる対応する機器の設定状態に関する情報とに加え、機器管理情報９０１に含まれる対応する機器の電源の状態に関する情報をさらに受け取る。つまり、図１６に示すＵＩ画面１５０では、図１５に示すＵＩ画面１２０に表示させる情報に加え、機器の電源状態を示す情報１２７、１２８が表示される。ＵＩ画面１５０に表示されるその他の情報は、ＵＩ画面１２０に表示される情報と同じであるため、説明を省略する。
【０１７０】
例えば、ステップＳ１１０６において、未設定の機器を検出したものの、その後ステップＳ１１０３を行うまでの間に、検出した機器の電源が落とされる場合などがある。図１６では、このような場合について、ユーザが視覚的に理解できるように機器の電源がＯＮであるか否かに関する情報（つまり、電源の状態に関する情報１２７、１２８）を機器ごとに表示している。これにより、接続設定する未設定の機器の電源が投入されていない場合、当該機器の電源投入をユーザに促すことが可能となる。
【０１７１】
上述の構成においては、接続設定において、未設定の機器から、認証が成功した旨の情報を受け取ると、宅内サーバー１０３は、自身が提供する設定情報のうち、未設定の機器が送信する無線信号の種別に応じた設定情報をコピーして、未設定の機器へ送るような構成としていた。
【０１７２】
宅内サーバー１０３の親機として、宅内サーバー１０３の上位の無線通信装置（例えば、図示しない、中継装置、またはルータ装置など）が宅内に配置されている場合、宅内サーバー１０３は、自身の親機としての無線通信装置から送信された設定情報（つまり、上位の無線通信装置への無線接続を確立するための設定情報）を保持している。
【０１７３】
従って、宅内サーバー１０３は、自身への無線接続を確立するための設定情報を未設定の機器に送信しなくてもよい。例えば、宅内サーバー１０３は、未設定の機器から、認証が成功した旨の応答情報を受け取ったとき、自身が保持する設定情報のうち、宅内サーバー１０３の親機から受け取った設定情報を、認証が成功した旨の応答情報を宅内サーバー１０３に送信した未設定の機器へ送信してもよい。これにより、未設定の機器は、上位の無線通信装置への無線接続を確立するための設定情報を用いて、上位の無線通信装置（例えば、中継装置、またはルータ装置など）との無線接続を確立することが可能となる。
【０１７４】
（実施の形態２）
実施の形態２について説明する。実施の形態２では、実施の形態１のように、宅内サーバー１０３が周辺状況を把握して接続設定の開始を判断する構成とは異なり、ユーザが接続設定の開始時間を積極的に指定する構成である。
【０１７５】
図１７は、図１３における設定時間待機処理（Ｓ１３０１）を拡張した詳細に関するフローチャートである。
【０１７６】
設定判定部３０５１は、機器管理部３０８から機器管理情報９０１を取得して、取得した機器管理情報９０１に設定開始時間が指定されているか否かを判定する（Ｓ１７０１）。設定判定部３０５１は、設定開始時間が指定されていると判定した場合（Ｓ１７０１でＹｅｓ）、指定されている設定開始時間まで待つ（Ｓ１７０２）。設定判定部３０５１は、設定開始時間が指定されていないと判定した場合（Ｓ１７０１でＮｏ）または指定されている設定開始時間を経過した場合（Ｓ１７０２の後）、図１３で説明したステップＳ１３０１〜Ｓ１３０３を行う。なお、ステップＳ１３０１〜ステップＳ１３０３の処理は、図１３で説明したものと同じであるため、説明を省略する。
【０１７７】
このようにして、ユーザに設定開始時間を指定させることで、ユーザが無線機能を使用するサービス（例：録画コンテンツの別の部屋での視聴）を利用していない時間帯を使って接続設定できる。
【０１７８】
図１８は、図１２おけるステップＳ１２０３において、表示機器１０２のＵＩ画面から入力されたＰＩＮコードを示す情報を機器へ送信する場合、表示機器１０２のタッチパネル１０２ａに表示されるＵＩ画面１５１の一例を示す図である。図１８に示す例では、表示機器１０２は、図１４に示すＵＩ画面１２０に表示される情報に加え、設定開始時間を入力するための入力欄１２９、１３０を表示して、ユーザに接続設定を開始する時刻である設定開始時間を指定できるＵＩ画面１５１を表示する。
【０１７９】
図１９は、機器管理情報の他の一例を示す図である。
【０１８０】
図１９に示す機器管理情報９０１ａは、図９に示す機器管理情報９０１と比較すると、更に設定時間を含んでいる点において異なる。図１９に示す機器管理情報９０１ａの設定時間は、図１８のＵＩ画面１５１の設定開始時間を入力するための入力欄１２９、１３０において、ユーザにより入力された時刻が登録される。また、設定時間は、接続設定を開始する時刻がわかれば良いため、例えば図１８のＵＩ画面１５１においてＰＩＮコードおよび設定開始時間が入力されて「設定」の入力ボタン１２６が押された時刻からの相対時間であってもよい。つまり、設定時間は、時間間隔を示す情報であってもよく、具体的には、１時間、２時間などの情報であってもよい。
【０１８１】
（実施の形態３）
実施の形態３について説明する。実施の形態３では、実施の形態１および２のように、宅内サーバー１０３が、ＡＰとして動作する未設定の機器１０４、１０５に無線接続して自身が保有する設定情報をコピーする構成とは異なり、宅内サーバー１０３がＡＰとして動作して、ＷＰＳ／ＡＯＳＳ等の既存の仕組みを利用して接続情報を未設定の機器１０４、１０５にコピーする場合について述べる。
【０１８２】
図２０は、無線モード管理情報の他の一例を示す図である。
【０１８３】
図２０に示す無線モード管理情報７０１ａは、図７に示す無線モード管理情報７０１と比較すると、無線モード管理情報７０１ａのネットワークＩＤとパスワードとが宅内サーバー１０３がＡＰとして動作する際のものである点が異なる。つまり、宅内サーバー１０３が接続設定を実施する際に、自身がＡＰとして動作してネットワークＩＤを未設定機器に通知することで、宅内サーバー１０３および未設定の機器１０４、１０５ともにＷＰＳ／ＡＯＳＳを開始して設定情報をコピーする。
【０１８４】
本例では同時に１つのネットワークＩＤに対応した無線ネットワークのみ起動可能にしているが、無線装置によっては複数のネットワークＩＤに対応した複数の無線ネットワークを起動しても良い。また、設定モードの際に機器毎に別のＩＤを割り当てているが、１つのＩＤのみ割り当てても良い。
【０１８５】
図２１は、無線モード管理情報の他の一例を示す図である。
【０１８６】
図２１に示す無線モード管理情報１００１ａは、図１０に示す無線モード管理情報１００１と比較すると、ネットワークＩＤとパスワードに通知用と受信用がある点が異なる。通知用のネットワークＩＤは、実施の形態１および実施の形態２と同様に機器が未設定の場合に機器１０４がＡＰとして動作して宅内サーバーに通知するためのネットワークＩＤである。一方で、受信用のネットワークＩＤは、宅内サーバーから通知され、未設定機器が接続設定処理としてＷＰＳ／ＡＯＳＳを開始するか否かの判定に利用する。
【０１８７】
このようにして、宅内サーバーがＡＰとして動作してＷＰＳ／ＡＯＳＳ等の既存の仕組みを利用して接続情報をコピーすることで、既存のＷＰＳ／ＡＯＳＳのセキュリティのメカニズムを利用可能になるため、設定情報の漏洩を軽減できる。
【０１８８】
（実施の形態４）
実施の形態４について説明する。
【０１８９】
図２２は、宅内サーバー１０３内のＵＩ管理部３０６の内部構成の一例を示すブロック図である。図２２に示すように、ＵＩ管理部３０６は、例えば制御部３０６１、ＵＩデータ管理部３０６２、宅内機器判定部３０６３を有する。
【０１９０】
制御部３０６１は、表示機器１０２からの指示を受けて設定制御部３０５に通知したり、ＵＩデータ管理部３０６２にＵＩデータの生成およびＵＩデータの取得等の指示を出したりする。
【０１９１】
ＵＩデータ管理部３０６２は、制御部３０６１からの指示で機器管理部３０８から機器管理情報９０１を取得して機器の情報を更新したり、機器管理部３０８から機器管理情報９０１に記載の機器が利用ユーザの機器か否かを取得して機器の情報を更新したりすることで、ＵＩデータを生成する。
【０１９２】
宅内機器判定部３０６３は、ＵＩデータ管理部３０６２からの指示で、機器管理部３０８を用いて機器管理情報９０１に記載の機器が利用ユーザの機器か否かを判定する。
【０１９３】
ここで、実施の形態１の図１４に示すようなＵＩ画面１２０の構成では、宅内サーバー１０３が未設定の機器としてエアコンおよび冷蔵庫があることを表示しているが、これらの未設定の機器であるエアコンおよび冷蔵庫が宅内に位置する機器（第３の機器）であるか、宅外に位置する機器であるかは、よくわからない。
【０１９４】
そこで、未設定の機器として表示される機器が、宅内にあるのか、宅外にあるのかを示す指標となるような情報を、あわせて表示することを考える。
【０１９５】
図２３の上図に示すＵＩ画面１５２では、図１４に示すＵＩ画面１２０に加えて、「全機器表示」の入力ボタン１３３が表示される。このＵＩ画面１５２では、例えばタッチパネル１０２ａ上に表示された「全機器表示」の入力ボタン１３３が選択（操作）されると、図２３の下図に示すＵＩ画面１５３ように未設定の機器に加え、設定済みの機器に関する情報１２３が合わせて表示される。
【０１９６】
例えば、冷蔵庫のような機器は、各家庭に１台あるようなものである。
【０１９７】
従って、例えば表示機器１０２を操作するユーザの宅内に冷蔵庫が１台しか配置されておらず、かつ、この冷蔵庫に関して設定済みであるのであれば、ＰＩＮコードが入力できるように示された冷蔵庫については、宅外に位置する冷蔵庫だとユーザは簡単に理解できる。
【０１９８】
上述の表示を行うための処理について説明をする。
【０１９９】
まず、表示機器１０２において、ＵＩ取得要求を宅内サーバー１０３へ送信し、受け取った表示情報に基づいてタッチパネル１０２ａに表示される内容が、図２３の上図であるとする。このとき「全機器表示」の入力ボタン１３３が選択（操作）されると、宅内サーバー１０３へ全機器（未設定の機器および設定済みの機器）に対応するＵＩ取得要求が送信される。
【０２００】
宅内サーバー１０３は、上述のＵＩ取得要求を受け取ると、宅内サーバー１０３が管理する機器管理情報９０１における「設定状態」が設定済みの機器のうち、「設定状態」が未設定の機器の機種と同一のものがあるか否かを判断する。この判断は、宅内サーバー１０３が管理するＵＩデータ情報８０１の「機種名」に基づいて判断すればよい。
【０２０１】
宅内サーバー１０３は、例えば、同一の機種が冷蔵庫であると判定した場合には、ＵＩデータ情報８０１、機器管理情報９０１に基づいて、対応する設定済みの機器（この例では冷蔵庫）の、機器の種別およびアイコンに関する情報を表示機器１０２へ送る。表示機器１０２は、受け取った情報に基づいて、未設定の機器に加え、設定済みの機器の、機器の種別、およびアイコンを表示する。このときの表示機器１０２に表示されるＵＩ画面１５３が図２３の下図に対応する。
【０２０２】
上述のような処理では、「全機器表示」の入力ボタン１３３を選択（操作）すると、宅内サーバー１０３へ全機器に対応するＵＩ取得要求が送信される。上述では、宅内サーバー１０３から設定済みの機器（この例では冷蔵庫）の、機器の種別およびアイコンに関する情報を表示機器１０２へ送る構成について、説明をしたがこれに限定をされる必要はない。
【０２０３】
例えば、表示機器１０２において、ＵＩ取得要求を宅内サーバー１０３へ送信したときに受け取った表示情報にＵＩデータ情報８０１および機器管理情報９０１が含まれており、表示機器１０２側で上述の判断を行うプログラムを表示機器１０２で実行するようにしてもよい。このとき、表示機器１０２へ送信される表示情報は、当該表示情報に含まれる機器管理情報９０１におけるＰＩＮコードを示す情報が認証情報であるため、秘匿性の観点からＰＩＮコードを示す情報が除かれた機器管理情報９０１が含まれるようにしてもよい。
【０２０４】
また、表示機器１０２は、図２３の下図で示されるＵＩ画面１５３のように、例えばタッチパネル１０２ａに表示された「戻る」の入力ボタン１３４が選択（操作）されると、図２３の上図で示されるＵＩ画面１５２に切り替える。表示機器１０２は、図２３の上図で示されるＵＩ画面１５２から、例えば図２３の下図で示されるＵＩ画面１５３に切り替えるとき、図２３の上図のＵＩ画面１５２を示す情報を一時的にメモリに格納しておき、その後「戻る」の入力ボタン１３４を選択（操作）すると、メモリに格納した情報を取り出して表示するようにすればよい。
【０２０５】
図２４は、表示機器１０２のＵＩ画面からＰＩＮコードを登録する場合、表示機器１０２のタッチパネル１０２ａに表示されるＵＩ画面の一例を示す図である。
【０２０６】
図２４の上図に示すＵＩ画面１５４では、図１４に示すＵＩ画面１２０に加えて、「詳細」の入力ボタン１３５、１３６が表示される。このＵＩ画面１５４では、例えばタッチパネル１０２ａ上に表示された「詳細」の入力ボタン１３５が選択（操作）されると、図２４の下図に示すＵＩ画面１５５のように未設定の機器から送信される無線信号の電波強度に近い電波強度の無線信号を送信した設定済みの機器に関する詳細情報１３７を表示するように切り替わる。
【０２０７】
図２４の上図において、ＰＩＮコードが入力できるように示されたエアコンに対応する「詳細」の入力ボタン１３５を選択（操作）すると、エアコンの最も近くに位置する設定済みの機器として電子レンジが該当し、該当した機器である、電子レンジのアイコン、電子レンジの購入日、電子レンジを電源投入した最新の日時などを示す詳細情報１３７を表示する例を示している。
【０２０８】
上述の表示を行うための処理について説明をする。
【０２０９】
宅内サーバー１０３の無線通信部３０９は、例えば未設定の機器および設定済みの機器のそれぞれから送信される無線信号を受信したとき、その電波強度を測定し、測定結果を例えば、機器管理情報９０１に記録する。
【０２１０】
次に、「詳細」の入力ボタンが選択（操作）されると、宅内サーバー１０３は、選択された「詳細」の入力ボタンに対応する機器の電波強度を機器管理情報９０１から特定する。そして、宅内サーバー１０３は、特定した機器の電波強度と近い値を有する、設定済みの機器が在るか否かを調べる。具体的には、例えば電波強度の数値範囲を予め複数設定されており、複数の数値範囲の内で今回対象となる機器の電波強度を含む数値範囲について、当該数値範囲に含まれる電波強度を有する設定済みの機器が在るか否かを調べてもよい。
【０２１１】
例えば、図２４の上図の例では、未設定のエアコンに対応する「詳細」の入力ボタン１３５が選択（操作）されたとき、宅内サーバー１０３は、未設定のエアコンからの無線信号の電波強度を特定する。次に宅内サーバー１０３は、予め定めた複数の数値範囲の中から、未設定のエアコンからの無線信号の電波強度を含む数値範囲を特定する。次にこの数値範囲に含まれる電波強度を有する設定済みの機器を特定する。この設定済みの機器として、例えば電子レンジが相当すると判定した場合、宅内サーバー１０３は、例えば、電子レンジの電源を投入した時間、および、エアコンの購入日時を取得する。電子レンジの電源を投入した時間、および、エアコンの購入日時は、例えば、機器管理情報９０１から取得する。
【０２１２】
また、例えば、今回対象となる機器の電波強度を基準とした所定の電波強度の数値範囲に含まれる電波強度を有する設定済みの機器が在るか否かを調べてもよい。
【０２１３】
宅内サーバー１０３は、取得した設定済みの機器に関する情報を表示機器１０２へ送り、表示機器１０２では受け取った情報に基づいて対象となる機器の近くに位置する設定済みの機器に関する詳細情報１３７を表示する（図２４の下図）。
【０２１４】
このように構成することにより、対象となる機器の近くに位置する設定済みの機器の情報を表示することができ、表示機器１０２を操作するユーザーは、対象となる機器の近くに位置する設定済みの機器との空間的な位置関係を把握していれば、対象となる機器が宅内に位置するのか宅外に位置するのかを容易に判断できる。
【０２１５】
なお、表示機器１０２は、図２４の下図に示されるＵＩ画面１５５のように、例えばタッチパネル１０２ａに表示された「戻る」の入力ボタン１３８が選択（操作）されると、図２４の上図で示されるＵＩ画面１５４に切り替える。表示機器１０２は、図２４の上図で示されるＵＩ画面１５４から、例えば図２４の下図で示されるＵＩ画面１５５に切り替えるとき、図２４の上図のＵＩ画面１５４を示す情報を一時的にメモリに格納しておき、その後「戻る」の入力ボタン１３８を選択（操作）すると、メモリに格納した情報を取り出して表示するようにすればよい。
【０２１６】
本実施の形態４ではユーザが表示機器１０２のタッチパネル１０２ａに表示されるＵＩ画面１５４を操作することにより、認証情報であるＰＩＮコードを入力できるように示された機器が宅内に位置する機器か宅外に位置する機器かを示す指標となる情報を表示するＵＩ画面１５５に切り替える。このため、表示機器１０２のユーザは、指標となる情報に基づいて対象となる機器が宅内に位置する機器か宅外に位置する機器かを容易に判別することができる。
【０２１７】
（実施の形態５）
実施の形態５について説明する。
【０２１８】
上述の実施の形態４では、ユーザが表示機器１０２のタッチパネル１０２ａに表示されるＵＩ画面１５４を操作することにより対象となる機器が宅内に位置する機器か宅外に位置する機器かを示す指標となる情報に基づいて、対象となる機器が宅内に位置する機器か宅外に位置する機器かを判断できるよＵＩ画面１５５に切り替える構成について説明をした。
【０２１９】
実施の形態５では、宅内サーバー１０３が検出した未設定の機器について、宅外に位置する機器か宅外に位置する機器かを積極的に判断するようにしたことを特徴とする。
【０２２０】
図２５は、実施の形態５における無線接続設定システムの動作の一例を示すフローチャートである。図において、図１２と同一の符号を付したものは、同一またはこれに相当するものである。
【０２２１】
まず、表示機器１０２で行われる処理のフローについて説明する。
【０２２２】
ユーザが表示機器１０２を操作して設定メニュー起動が指示（Ｓ１１０１）された場合、入力制御部３０２は、ＵＩ実行部３０３へ押下されたメニューの情報を送る。ＵＩ実行部３０３は、無線通信部３０４を利用して宅内サーバー１０３へＵＩ取得要求を送信する（Ｓ１１０２ａ）。ＵＩ実行部３０３は、宅内サーバー１０３からＵＩ画面を示す表示情報を取得し、取得した表示情報を実行し、表示制御部３０１へ実行した表示情報から得られる画面情報を送る。ユーザがＵＩ画面を通じて機器のＰＩＮコードを入力すると、入力制御部３０２は、ＵＩ実行部３０３に入力されたＰＩＮコードを示す情報を送る。ＰＩＮコードを示す情報を受け取ったＵＩ実行部３０３は、無線通信部３０４を利用して宅内サーバー１０３へ、ＰＩＮコードを示す情報を送信するとともに、当該ＰＩＮコードでの機器１０４のＰＩＮ登録の要求を行う（Ｓ１１０３）。なお、ステップＳ１１０４およびＳ１１０５については、図１１の説明と同様であるので、ここでは説明を省略する。
【０２２３】
次に、宅内サーバー１０３で行われる処理のフローについて説明する。
【０２２４】
宅内サーバー１０３は、機器管理部３０８を利用して、常時、未設定の機器を検索して管理している機器管理情報９０１を更新する（Ｓ１１０６ａ）。ＵＩ管理部３０６は、表示機器１０２からのＵＩ取得要求（Ｓ１１０２）を受けると、機器管理部３０８から機器管理情報９０１を取得してユーザが保有している機器か否かの判定結果を追加してＵＩを更新した後に、無線通信部３０９を利用して表示機器１０２にＵＩ画面を示す表示情報を送信する（Ｓ１５０１）。
【０２２５】
ユーザ保有機器か否かの判定処理（Ｓ１５０１）の詳細は、図１８で説明する。
【０２２６】
なお、ステップＳ１１０７〜Ｓ１１０９については、図１２の説明と同様であるので、ここでは説明を省略する。
【０２２７】
また、機器１０４の動作であるステップＳ１１１０、Ｓ１１１１、およびＳ１１０８については、図１２の説明と同様であるので、ここでは説明を省略する。
【０２２８】
図２６は、図２５におけるユーザ機器判定処理（Ｓ１５０１）の一例を示すフローチャートである。
【０２２９】
宅内機器判定部３０６３は、機器管理部３０８から機器管理情報９０１を取得して、対象となる未設定の機器のＰＩＮ登録がされているか否かを判定する。この場合、宅内機器判定部３０６３は、対象となる未設定の機器が、機器管理情報９０１の「ＰＩＮ」に対応する項目にＰＩＮコードが含まれる場合には、ＰＩＮ登録がされていると判定し、そうでない場合は、ＰＩＮ登録がされていないと判定する（Ｓ２６０１）。宅内機器判定部３０６３は、対象となる未設定の機器がＰＩＮ登録されていると判定した場合（Ｓ２６０１でＹｅｓ）、当該未設定の機器をユーザが保有している機器であると判定する（Ｓ２６０６）。宅内機器判定部３０６３は、対象となる未設定の機器がＰＩＮ登録されていないと判定した場合（Ｓ２６０１でＮｏ）、設定済みの機器の中に対象となる未設定の機器と同一の機種があるか否かを判定する（Ｓ２６０２）。宅内機器判定部３０６３は、設定済みの機器の中に未設定の機器と同一機種のものがないと判定した場合（Ｓ２６０２でＮｏ）、ユーザが保有している機器であると判定する（Ｓ２６０６）。宅内機器判定部３０６３は、設定済みの機器の中に未設定の機器と同一機種のものがあると判定した場合（Ｓ２６０２でＹｅｓ）、対象となる未設定の機器の電源ＯＮ／ＯＦＦのタイミングと設定済みの機器の電源ＯＮ／ＯＦＦのタイミングとが類似しているか否かを判定する（Ｓ２６０３）。宅内機器判定部３０６３は、未設定の機器の電源ＯＮ／ＯＦＦのタイミングと設定済みの機器の電源ＯＮ／ＯＦＦのタイミングとが類似していると判定した場合（Ｓ２６０３でＹｅｓ）、未設定の機器をユーザが保有している機器であると判定する（Ｓ２６０６）。宅内機器判定部３０６３は、未設定の機器の電源ＯＮ／ＯＦＦのタイミングと設定済みの機器の電源ＯＮ／ＯＦＦのタイミングとが類似していないと判定した場合（Ｓ２６０３でＮｏ）、未設定の機器が電源ＯＮから所定時間経過しているか否かを判定する（Ｓ２６０４）。宅内機器判定部３０６３は、未設定の機器が電源ＯＮから所定時間を経過していないと判定した場合（Ｓ２６０４でＮｏ）、未設定の機器をユーザが保有している機器であると判定する（Ｓ２６０６）。また、宅内機器判定部３０６３は、未設定の機器が電源ＯＮから所定時間を経過したと判定した場合（Ｓ２６０４でＹｅｓ）、未設定の機器をユーザが保有している機器でないと判定する（Ｓ２６０５）。
【０２３０】
その後、宅内機器判定部３０６３は、他に未設定の機器があるか否かを判定する（Ｓ２６０７）。宅内機器判定部３０６３は、対象となる未設定の機器が他にあると判定した場合（Ｓ２６０７でＹｅｓ）、ステップＳ２６０１からの処理を繰り返す。
【０２３１】
上述の例では、ステップＳ２６０４において、対象となる店邸の機器の電源がＯＮであることを前提としているが、当該未設定の機器の電源がＯＦＦである場合、Ｓ２６０４の判定ができないため、ステップＳ２６０７に進むようしてもよい。
【０２３２】
図２７は、機器管理情報の他の一例を示す図である。
【０２３３】
図２７に示す機器管理情報２７０１は、図９に示す機器管理情報９０１にユーザ機器であるか否かを示す情報（「ユーザ機器」の欄）を追加した点において異なる。図２７の機器管理情報２７０１は、「ユーザ機器」の欄には、ステップＳ１５０１の機器判定処理を行った結果が示される。
【０２３４】
図２７に示す機器管理情報２７０１の「ユーザ機器」の欄において、「○」はＳ１５０１の機器判定処理を行った結果、ユーザが保有している機器である（つまり宅内に位置する機器）と判定したことを示す。「×」は、Ｓ１５０１の処理を行った結果、ユーザが保有している機器でない（つまり宅内に位置する機器）と判定したことを示す。「△」は、例えばＳ１５０１の処理を行った結果、対象となる機器の電源がＯＦＦであり、ステップＳ２６０４の判定ができなかったので、ユーザが保有している機器か否かの判定ができなかったことを示す。
【０２３５】
図２８は、ＰＩＮ登録時のＵＩ画面の他の一例を示す図である。
【０２３６】
図２８の（ａ）に示すＵＩ画面１５６では、図２７に示す機器管理情報２７０１のうち、「設定状態」が未設定の機器のうち、「ユーザ機器」に示す情報が「○」または「△」の機器に関する機器の、種別、品番、アイコンおよびＰＩＮが登録済みであるか否かを示す情報１２１ａを示している。
【０２３７】
また、ＰＩＮコードの登録がまだの場合は、ＰＩＮの横の四角の部分にＰＩＮコードを入力するための入力欄１２５が表示される。
【０２３８】
図２８の（ａ）に示すＵＩ画面１５６では、「設定状態」が未設定の機器のうち、「ユーザ機器」に示す情報が「○」および「△」の機器の情報を表示するように構成をしているが、「△」に対応する機器については表示しないようにしてもよい。
【０２３９】
このような構成を採用すれば、宅外に位置すると判定した機器を表示しなくなるので、ユーザは宅内の機器を簡単に特定することができる。
【０２４０】
また、「設定状態」が未設定の機器のうち、「ユーザ機器」に示す情報が「×」（つまり宅内に位置すると判定した機器）については、ＵＩ画面１５６に表示されなくなるので、ユーザは、宅外に位置すると判定された機器に対し、誤ってＰＩＮコードを入力するといったことを防止できる。
【０２４１】
図２８の（ｂ）に示すＵＩ画面１５７では、「設定状態」が未設定の機器のうち、「ユーザ機器」に示す情報が「×」（つまり宅外に位置すると判定した機器）については、「設定状態」が未設定の機器のうち、「ユーザ機器」に示す情報が「○」（つまり宅内に位置すると判定した機器）とは異なる態様で表示する。図２８の（ｂ）の例では、例えば、「ユーザ機器」に示す情報が「×」である機器が冷蔵庫であり、この冷蔵庫に関する情報（アイコン、品番、ＰＩＮコードを入力する領域）を表示している領域１３９を他の領域とは異なる色で表示したことを特徴とする。
【０２４２】
このようにすれば、ユーザは、視覚的に宅外の機器か宅内の機器かを識別することができるようになる。また、図２８の（ｂ）において、「×」である機器（この例では冷蔵庫）に対応するＰＩＮコードを入力する領域を表示しないようにしてもよい。この場合、宅外に位置すると判定した機器に対し、誤ってＰＩＮを入力するといったことを防止できる。
【０２４３】
このようにして、ユーザに隣の家の機器（つまり、宅外に位置する機器）を区別させるようにすることで、自分の機器を特定しやすくなる。
【０２４４】
（変形例）
尚、本発明を上記の実施形態に基づいて説明してきたが、本発明は、上記の実施形態に限定されないのはもちろんである。
【０２４５】
本発明は、コンピュータを動作させるプログラムコードを含むコンピュータプログラムであるとしてもよいし、前記コンピュータプログラムからなるデジタル信号であるとしてもよい。
【０２４６】
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなど、に記録したものとしてもよい。
【０２４７】
また、本発明は、前記コンピュータプログラム又は前記デジタル信号を、電気通信回線、無線又は有線通信回線、インターネットを代表とするネットワーク等を経由して伝送するものとしてもよい。
【０２４８】
また、前記コンピュータプログラム又は前記デジタル信号を前記記録媒体に記録して移送することにより、又は前記コンピュータプログラム又は前記デジタル信号を前記ネットワーク等を経由して移送することにより、独立した他のコンピュータシステムにより実施するとしてもよい。
【０２４９】
本発明は、上記実施の形態に記載のデータ管理装置を制御するＬＳＩとしても実施可能である。機能ブロックは、個別に１チップ化されても良いし、一部または全てを含むように１チップ化されてもよい。
【０２５０】
ここでは、ＬＳＩとしたが、集積度の違いにより、ＩＣ、システムＬＳＩ、スーパーＬＳＩ、ウルトラＬＳＩと呼称されることもある。
【０２５１】
また、集積回路化の手法はＬＳＩに限るものではなく、専用回路または、汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０２５２】
さらには、半導体技術の進歩または派生する別技術によりＬＳＩに置き換わる集積回路化の技術が登場すれば、当然、その技術を用いて機能ブロック及び部材の集積化を行ってもよい。このような技術には、バイオ技術の適用等が可能性としてありえる。
【０２５３】
保存データの移行対象たる読み書き可能な記録媒体として、上述の実施形態では、記録媒体（例えばＨＤＤやＳＤカードやコンパクトフラッシュ（登録商標）などの半導体メモリ）を用いたが、本発明の特徴は、記録媒体の物理的特性に依存するものではなく、本発明は、他の読み書き可能な記録媒体にも適用できる。例えば、外付けハードディスクなどにデータが記録された場合においても上述と同様の効果を奏することはもちろんのことである。
【０２５４】
上記実施形態、及び上記変形例をそれぞれ組み合わせるとしてもよい。
【産業上の利用可能性】
【０２５５】
本発明は、無線機能を搭載する無線通信装置に適用可能である。
【符号の説明】
【０２５６】
１０１    クラウド（宅外サーバー）
１０２    表示機器
１０２ａ    タッチパネル
１０３    宅内サーバー
１０４〜１０６    機器
１１０、１２０、１４０、１５０〜１５６    ＵＩ画面
１１１、１１２、１２１、１２２、１３１    アイコン
１１３、１１４、１２４、１２５、１２９、１３０、１３２、１４１、１４２    入力欄
１２１ａ、１２３、１２７、１２８    情報
１１５、１２６、１３３、１３４、１３５、１３６、１３８、１４３    入力ボタン
１３７    詳細情報
１３９    領域
２０１    設定情報
２０２    設定情報
２０３〜２０５    ＰＩＮコード
３０１    表示制御部
３０２    入力制御部
３０３    ＵＩ実行部
３０４    無線通信部
３０５    設定制御部
３０６    ＵＩ管理部
３０７    無線制御部
３０８    機器管理部
３０９    無線通信部
３１０    入力制御部
３１１    設定状態管理部
３１２    認証情報管理部
３１３    無線制御部
３１４    無線通信部
６０１    設定情報
７０１、７０１ａ、１００１、１００１ａ    無線モード管理情報
８０１    ＵＩデータ情報
９０１、９０１ａ、２７０１    機器管理情報
３０５１    設定判定部
３０５２    設定情報管理部
３０５３    無線モード管理部
３０６１    制御部
３０６２    ＵＩデータ管理部
３０６３    宅内機器判定部
３１１１    状態判定部
３１１２    設定情報管理部
３１１３    無線モード管理部
【図１】
2015001772.tif 000003
【図２】
2015001772.tif 000004
【図３】
2015001772.tif 000005
【図４】
2015001772.tif 000006
【図５】
2015001772.tif 000007
【図６】
2015001772.tif 000008
【図７】
2015001772.tif 000009
【図８】
2015001772.tif 000010
【図９】
2015001772.tif 000011
【図１０】
2015001772.tif 000012
【図１１】
2015001772.tif 000013
【図１２】
2015001772.tif 000014
【図１３】
2015001772.tif 000015
【図１４】
2015001772.tif 000016
【図１５】
2015001772.tif 000017
【図１６】
2015001772.tif 000018
【図１７】
2015001772.tif 000019
【図１８】
2015001772.tif 000020
【図１９】
2015001772.tif 000021
【図２０】
2015001772.tif 000022
【図２１】
2015001772.tif 000023
【図２２】
2015001772.tif 000024
【図２３】
2015001772.tif 000025
【図２４】
2015001772.tif 000026
【図２５】
2015001772.tif 000027
【図２６】
2015001772.tif 000028
【図２７】
2015001772.tif 000029
【図２８】
2015001772.tif 000030
【国際調査報告】
2015001772.tif 000031
2015001772.tif 000032